(57)【要約】【課題】  利用者がキーを操作したときの様々な動作を、外部装置から実行できるようになる移動機及び外部装置を提供する。【解決手段】  移動機２０は、通常キー操作動作モードを実行可能な制御手段２１１とデータ記憶手段２１２とを備える。データ記憶手段２１２は、複数のキー操作の識別情報と、複数のキー操作それぞれに対応させて外部装置から送信されてくる複数のコマンドデータとが互いに関連付けられたキーコマンド対応データを記憶する。制御手段２１１は、データ送受信手段２１０で外部装置１０から受信した複数のコマンドデータのいずれかとデータ記憶手段２１２に記憶しているキーコマンド対応データとに基づいてコマンドデータに対応するキー操作を特定し、その特定されたキー操作を行ったときと同様に動作させるキーエミュレート動作モードを有し、このキーエミュレート動作モードと通常キー操作動作モードとを選択的に実行することができる。【選択図】  図１
2005033776.tif 000002
【特許請求の範囲】
【請求項１】
外部装置との間でデータを送受信するためのデータ送受信手段と、利用者が操作するための複数のキーと、利用者が該キーを操作したときにそのキー操作に応じて動作させる通常キー操作動作モードを実行可能な制御手段とを備えた移動体通信端末であって、
利用者が操作可能な複数のキー操作の識別情報と、該複数のキー操作それぞれに対応させて上記外部装置から送信されてくる複数のコマンドデータとが互いに関連付けられたキーコマンド対応データを記憶するためのデータ記憶手段を備え、
上記制御手段は、該データ送受信手段で該外部装置から受信した該複数のコマンドデータのいずれかと、該データ記憶手段に記憶している該キーコマンド対応データとに基づいて、該コマンドデータに対応するキー操作を特定し、その特定されたキー操作を行ったときと同様に動作させるキーエミュレート動作モードを有し、このキーエミュレート動作モードと上記通常キー操作動作モードとを選択的に実行可能なことを特徴とする移動体通信端末。
【請求項２】
請求項１の移動体通信端末において、
上記制御手段は、上記通常キー操作動作モードから上記キーエミュレート動作モードに遷移するときに、上記移動体通信端末の製造番号の読み出しを要求する製造番号読出要求を上記外部装置から受信し、該製造番号読出要求に応答する製造番号読出応答を該製造番号とともに該外部装置へ送信するように、上記データ送受信手段を制御することを特徴とする移動体通信端末。
【請求項３】
請求項１の移動体通信端末において、
上記制御手段は、上記通常キー操作動作モードから上記キーエミュレート動作モードに遷移するときに、上記移動体通信端末の通信能力の通知を要求する能力通知要求を上記外部装置から受信し、該能力通知要求に応答する能力通知応答を該通信能力の通知データとともに該外部装置へ送信するように、上記データ送受信手段を制御し、該通信能力の通知データに基づいて、該キーエミュレート動作モードにおける該外部装置との間のデータ送受信時の通信条件を設定することを特徴とする移動体通信端末。
【請求項４】
請求項１の移動体通信端末において、
上記制御手段は、上記通常キー操作動作モードから上記キーエミュレート動作モードに遷移するときに、上記コマンドデータに基づいて実行可能な動作に関するキーエミュレートサポート情報を要求するキーエミュレートサポート情報要求を上記外部装置から受信し、該キーエミュレートサポート情報要求に応答するキーエミュレートサポート情報応答を該キーエミュレートサポート情報とともに該外部装置へ送信するように、上記データ送受信手段を制御することを特徴とする移動体通信端末。
【請求項５】
請求項１、２、３又は４の移動体通信端末において、
画像を表示する画像表示手段を備え、
上記制御手段は、上記キーエミュレート動作モードの実行中に、上記外部装置から特定機能ショートカット要求を受信したとき、該特定機能ショートカット要求で特定される機能の画面を該画像表示手段にショートカットで表示するように、該画像表示手段を制御することを特徴とする移動体通信端末。
【請求項６】
請求項１、２、３又は４の移動体通信端末において、
上記制御手段は、上記外部装置からテキスト入力要求とともに送信されてきた複数文字からなるテキスト情報を一括して入力するためのテキスト入力モードを有し、上記キーエミュレート動作モードの実行中に、該外部装置からテキスト入力モード開始要求を受信したとき、該キーエミュレート動作モードから該テキスト入力モードに遷移するように構成したことを特徴とする移動体通信端末。
【請求項７】
請求項１、２、３又は４の移動体通信端末において、
移動体通信ネットワークを介してメールサーバとの間でメールを送受信するためのメールデータ送受信手段と、該メールのデータを記憶するメールデータ記憶手段とを備え、
上記制御手段は、メールサーバからメールを取得完了したタイミングで取得したメール情報を移動機から自立的に外部装置へ送信するメール出力モードを有し、上記キーエミュレート動作モードの実行中に該外部装置からメール出力モード開始要求を受信したとき、該キーエミュレート動作モードから該メール出力モードに遷移するように構成したことを特徴とする移動体通信端末。
【請求項８】
請求項１、２、３又は４の移動体通信端末において、
移動体通信ネットワークを介してメールサーバとの間でメールを送受信するためのメールデータ送受信手段と、該メールのデータを記憶するメールデータ記憶手段とを備え、
上記制御手段は、上記外部装置から送信されてきたメール取得要求に基づいて、該メールサーバから取得した取得済みのメール情報を該外部装置に送信するメール取得モードを有し、上記キーエミュレート動作モードの実行中に該外部装置からメール取得モード開始要求を受信したとき、該キーエミュレート動作モードから該メール取得モードに遷移するように構成したことを特徴とする移動体通信端末。
【請求項９】
請求項１、２、３又は４の移動体通信端末において、
移動体通信ネットワークを介してメールサーバとの間でメールを送受信するためのメールデータ送受信手段と、メールのデータを記憶するメールデータ記憶手段とを備え、
上記制御手段は、上記キーエミュレート動作モードの実行中に外部装置からメール送信設定要求とともにメールのデータを受信したとき、該メールのデータを該メールデータ記憶手段に保存し、該メールのデータを該メールサーバに送信するためのキー操作に対応するコマンドデータを該外部装置から受信したとき、該メールデータ記憶手段に保存した該メールのデータを該メールサーバに送信するように該メールデータ送受信手段を制御することを特徴とする移動体通信端末。
【請求項１０】
複数のキーを有する移動体通信端末との間でデータを送受信するためのデータ送受信手段を備えた外部装置であって、
上記移動体通信端末における複数のキー操作の識別情報と、該複数のキー操作それぞれに対応させて該移動体通信端末に送信する複数のコマンドデータとが互いに関連付けられたキーコマンド対応データを記憶するデータ記憶手段と、
該キーコマンド対応データに基づいて、該移動体通信端末における複数のキー操作のいずれかのキー操作に対応するコマンドデータを該移動体通信端末に送信するように、上記データ送受信手段を制御する制御手段とを備えたことを特徴とする外部装置。
【請求項１１】
請求項１０の外部装置において、
上記データ記憶手段は、複数種類の移動体通信端末に対応するように上記キーコマンド対応データを複数組記憶し、
上記制御手段は、利用者がキーを操作したときにそのキー操作に応じて動作させる通常キー操作動作モードから、上記コマンドデータで特定されたキー操作を行ったときと同様に動作させるキーエミュレート動作モードに、上記移動体通信端末の動作モードが遷移するときに、該移動体通信端末の製造番号の読み出しを要求する製造番号読出要求を該移動体通信端末に送信し、該製造番号読出要求に応答する製造番号読出応答を該製造番号とともに該移動体通信端末から受信するように、上記データ送受信手段を制御し、該製造番号に基づいて、上記コマンドデータの送信に用いる１組のキーコマンド対応データを選択することを特徴とする外部装置。
【請求項１２】
請求項１０の外部装置において、
上記制御手段は、利用者がキーを操作したときにそのキー操作に応じて動作させる通常キー操作動作モードから、上記コマンドデータで特定されたキー操作を行ったときと同様に動作させるキーエミュレート動作モードに、上記移動体通信端末の動作モードが遷移するときに、該移動体通信端末の通信能力の通知を要求する能力通知要求を該移動体通信端末に送信し、該能力通知要求に応答する能力通知応答を該通信能力の通知データとともに該移動体通信端末から受信するように、上記データ送受信手段を制御し、該通信能力の通知データに基づいて該移動体通信端末との間のデータ送受信時の通信条件を設定することを特徴とする外部装置。
【請求項１３】
請求項１０の外部装置において、
上記制御手段は、利用者がキーを操作したときにそのキー操作に応じて動作させる通常キー操作動作モードから、上記コマンドデータで特定されたキー操作を行ったときと同様に動作させるキーエミュレート動作モードに、上記移動体通信端末の動作モードが遷移するときに、上記コマンドデータに基づいて実行可能な動作に関するキーエミュレートサポート情報を要求するキーエミュレートサポート情報要求を該移動体通信端末に送信し、該キーエミュレートサポート情報要求に応答するキーエミュレートサポート情報応答を該キーエミュレートサポート情報とともに該移動体通信端末から受信するように、上記データ送受信手段を制御することを特徴とする外部装置。
【請求項１４】
請求項１０、１１、１２又は１３の外部装置において、
上記制御手段は、上記移動体通信端末の画面表示手段に特定の機能の画面をショートカットで表示させるための特定機能ショートカット要求を、上記キーエミュレート動作モードを実行している移動体通信端末に送信するように、上記データ送受信手段を制御可能なことを特徴とする外部装置。
【請求項１５】
請求項１０、１１、１２又は１３の外部装置において、
上記制御手段は、上記キーエミュレート動作モードから、複数文字からなるテキスト情報を一括して入力するためのテキスト入力モードに遷移させるためのテキスト入力モード開始要求を、上記キーエミュレート動作モードを実行している移動体通信端末に送信するように、上記データ送受信手段を制御可能なことを特徴とする外部装置。
【請求項１６】
請求項１０、１１、１２又は１３の外部装置において、
上記制御手段は、移動体通信ネットワークを介してメールサーバから取得したメール情報を該メールサーバから取得したタイミングで移動機から自立的に該外部装置に送信するメール出力モードに遷移させるためのメール出力モード開始要求を、上記キーエミュレート動作モードを実行している移動体通信端末に送信するように、上記データ送受信手段を制御可能なことを特徴とする外部装置。
【請求項１７】
請求項１０、１１、１２又は１３の外部装置において、
上記制御手段は、移動体通信ネットワークを介してメールサーバからメールを取得するためのメール取得モードに遷移させるためのメール取得モード開始要求を、上記キーエミュレート動作モードを実行している移動体通信端末に送信するように、上記データ送受信手段を制御可能なことを特徴とする外部装置。
【請求項１８】
請求項１０、１１、１２又は１３の外部装置において、
上記制御手段は、移動体通信ネットワークを介してメールサーバに送信する送信対象のメールのデータをメール送信設定要求とともに、上記キーエミュレート動作モードを実行している移動体通信端末に送信し、該メールのデータを該メールサーバに送信するためのキー操作に対応するコマンドデータを該移動体通信端末に送信するように上記データ送受信手段を制御可能なことを特徴とする外部装置。
【請求項１９】
請求項１０、１１、１２、１３、１４、１５、１６、１７又は１８の外部装置において、
利用者が操作するための複数の外部操作用キーを備え、
上記キーコマンド対応データは、該複数の外部操作用キーの識別情報と、上記移動体通信端末における複数のキー操作の識別情報と、上記コマンドデータとが互いに関連付けられたものであり、
上記制御手段は、利用者が該複数の外部操作用キーのいずれかを操作したときに、その外部操作用キーに対応するコマンドデータを上記移動体通信端末に送信するように、上記データ送受信手段を制御することを特徴とする外部装置。
【発明の詳細な説明】
【技術分野】
【０００１】
本発明は、利用者が操作するための複数のキーを有する携帯電話機等の移動体通信端末、及び移動体通信端末とデータ送受信可能な外部装置に関するものである。
【背景技術】
【０００２】
従来、携帯電話機の外部接続端子に接続し、キーボードを操作して入力した文字情報を携帯電話機に転送できる外付け文字入力装置が知られている（例えば、特許文献１、特許文献２参照）。この外付け文字入力装置から入力された文字情報は、インターフェースケーブルを介して携帯電話機に転送される。外付け文字入力装置から転送されてきた文字情報は、携帯電話機に設けられた文字データ入出力部で受信され、携帯電話機内のメモリー部に保存される。このように外付け文字入力装置を用いることにより、通常のパソコンのキーボードを操作するときと同じ操作性で文字情報を入力してメモ文書、電子メール本文、電話帳等のデータを作成し、それらのデータを携帯電話機で利用できるようになる。
また、最近では、メール本文を作成して送信するためのメール送信動作を外部から実行できるようにした外部装置も知られている。
【特許文献１】特開２０００−２４４６２３号公報
【特許文献２】特開２００１−１４２６１４号公報
【発明の開示】
【発明が解決しようとする課題】
【０００３】
上記携帯電話機は、その携帯性を確保するために小型化及び軽量化が図られているため、利用者が操作するキーについて個数や大きさに制約があり、操作性を犠牲にした構成になっている。このような携帯電話機の操作性は、利用者が持ち歩く外出先等ではある程度我慢できるが、自宅やオフィスに戻ったときに携帯電話機を使用するときには気になる場合が多い。上記従来の携帯電話機及び外部装置（外付け文字入力装置）を用いると、文字入力やメール送信等の特定の動作を実行するときの操作性については向上させることができる。しかしながら、携帯電話機の利用者によっては、文字入力やメール送信等の特定の動作だけでなく、携帯電話機上にある複数のキーそれぞれを操作したときの様々な動作についても、外部装置側から実行できるようにして操作性を高めたい場合がある。
【０００４】
また、近年において携帯電話機の利用が広まるにつれて、その利用形態も様々なものが考えられるようになってきている。例えば、利用者が携帯電話機を直接操作するのではなく、遠隔地に設置した各種センサを有する外部装置と携帯電話機とを接続しておき、その外部装置で携帯電話機を操作することにより、外部装置のセンサで測定したデータを携帯電話機から遠くにいる利用者の所に自動的に送信するような利用形態も考えられる。このような場合に、携帯電話機上にある複数のキーそれぞれを操作したときの様々な動作について外部装置側から実行できると、携帯電話機の利用形態の幅が広がる。
本発明は以上の背景の下でなされたものであり、その目的は、移動体通信端末の複数のキーそれぞれを利用者が操作したときの様々な動作を、外部装置から実行できるようになる移動体通信端末及び外部装置を提供することである。
【課題を解決するための手段】
【０００５】
上記目的を達成するために、請求項１の発明は、外部装置との間でデータを送受信するためのデータ送受信手段と、利用者が操作するための複数のキーと、利用者が該キーを操作したときにそのキー操作に応じて動作させる通常キー操作動作モードを実行可能な制御手段とを備えた移動体通信端末であって、利用者が操作可能な複数のキー操作の識別情報と、該複数のキー操作それぞれに対応させて上記外部装置から送信されてくる複数のコマンドデータとが互いに関連付けられたキーコマンド対応データを記憶するためのデータ記憶手段を備え、上記制御手段は、該データ送受信手段で該外部装置から受信した該複数のコマンドデータのいずれかと、該データ記憶手段に記憶している該キーコマンド対応データとに基づいて、該コマンドデータに対応するキー操作を特定し、その特定されたキー操作を行ったときと同様に動作させるキーエミュレート動作モードを有し、このキーエミュレート動作モードと上記通常キー操作動作モードとを選択的に実行可能なことを特徴とするものである。
また、請求項２の発明は、請求項１の移動体通信端末において、上記制御手段は、上記通常キー操作動作モードから上記キーエミュレート動作モードに遷移するときに、上記移動体通信端末の製造番号の読み出しを要求する製造番号読出要求を上記外部装置から受信し、該製造番号読出要求に応答する製造番号読出応答を該製造番号とともに該外部装置へ送信するように、上記データ送受信手段を制御することを特徴とするものである。
また、請求項３の発明は、請求項１の移動体通信端末において、上記制御手段は、上記通常キー操作動作モードから上記キーエミュレート動作モードに遷移するときに、上記移動体通信端末の通信能力の通知を要求する能力通知要求を上記外部装置から受信し、該能力通知要求に応答する能力通知応答を該通信能力の通知データとともに該外部装置へ送信するように、上記データ送受信手段を制御し、該通信能力の通知データに基づいて、該キーエミュレート動作モードにおける該外部装置との間のデータ送受信時の通信条件を設定することを特徴とするものである。
また、請求項４の発明は、請求項１の移動体通信端末において、上記制御手段は、上記通常キー操作動作モードから上記キーエミュレート動作モードに遷移するときに、上記コマンドデータに基づいて実行可能な動作に関するキーエミュレートサポート情報を要求するキーエミュレートサポート情報要求を上記外部装置から受信し、該キーエミュレートサポート情報要求に応答するキーエミュレートサポート情報応答を該キーエミュレートサポート情報とともに該外部装置へ送信するように、上記データ送受信手段を制御することを特徴とするものである。
また、請求項５の発明は、請求項１、２、３又は４の移動体通信端末において、画像を表示する画像表示手段を備え、上記制御手段は、上記キーエミュレート動作モードの実行中に、上記外部装置から特定機能ショートカット要求を受信したとき、該特定機能ショートカット要求で特定される機能の画面を該画像表示手段にショートカットで表示するように、該画像表示手段を制御することを特徴とするものである。
また、請求項６の発明は、請求項１、２、３又は４の移動体通信端末において、上記制御手段は、上記外部装置からテキスト入力要求とともに送信されてきた複数文字からなるテキスト情報を一括して入力するためのテキスト入力モードを有し、上記キーエミュレート動作モードの実行中に、該外部装置からテキスト入力モード開始要求を受信したとき、該キーエミュレート動作モードから該テキスト入力モードに遷移するように構成したことを特徴とするものである。
また、請求項７の発明は、請求項１、２、３又は４の移動体通信端末において、移動体通信ネットワークを介してメールサーバとの間でメールを送受信するためのメールデータ送受信手段と、該メールのデータを記憶するメールデータ記憶手段とを備え、上記制御手段は、メールサーバからメールを取得完了したタイミングで取得したメール情報を移動機から自立的に外部装置へ送信するメール出力モードを有し、上記キーエミュレート動作モードの実行中に該外部装置からメール出力モード開始要求を受信したとき、該キーエミュレート動作モードから該メール出力モードに遷移するように構成したことを特徴とするものである。
また、請求項８の発明は、請求項１、２、３又は４の移動体通信端末において、移動体通信ネットワークを介してメールサーバとの間でメールを送受信するためのメールデータ送受信手段と、該メールのデータを記憶するメールデータ記憶手段とを備え、上記制御手段は、上記外部装置から送信されてきたメール取得要求に基づいて、該メールサーバから取得した取得済みのメール情報を該外部装置に送信するメール取得モードを有し、上記キーエミュレート動作モードの実行中に該外部装置からメール取得モード開始要求を受信したとき、該キーエミュレート動作モードから該メール取得モードに遷移するように構成したことを特徴とするものである。
また、請求項９の発明は、請求項１、２、３又は４の移動体通信端末において、移動体通信ネットワークを介してメールサーバとの間でメールを送受信するためのメールデータ送受信手段と、該メールのデータを記憶するメールデータ記憶手段とを備え、上記制御手段は、上記キーエミュレート動作モードの実行中に外部装置からメール送信設定要求とともにメールのデータを受信したとき、該メールのデータを該メールデータ記憶手段に保存し、該メールのデータを該メールサーバに送信するためのキー操作に対応するコマンドデータを該外部装置から受信したとき、該メールデータ記憶手段に保存した該メールのデータを該メールサーバに送信するように該メールデータ送受信手段を制御することを特徴とするものである。
【０００６】
また、請求項１０の発明は、複数のキーを有する移動体通信端末との間でデータを送受信するためのデータ送受信手段を備えた外部装置であって、上記移動体通信端末における複数のキー操作の識別情報と、該複数のキー操作それぞれに対応させて該移動体通信端末に送信する複数のコマンドデータとが互いに関連付けられたキーコマンド対応データを記憶するデータ記憶手段と、該キーコマンド対応データに基づいて、該移動体通信端末における複数のキー操作のいずれかのキー操作に対応するコマンドデータを該移動体通信端末に送信するように、上記データ送受信手段を制御する制御手段とを備えたことを特徴とするものである。
また、請求項１１の発明は、請求項１０の外部装置において、上記データ記憶手段は、複数種類の移動体通信端末に対応するように上記キーコマンド対応データを複数組記憶し、上記制御手段は、利用者がキーを操作したときにそのキー操作に応じて動作させる通常キー操作動作モードから、上記コマンドデータで特定されたキー操作を行ったときと同様に動作させるキーエミュレート動作モードに、上記移動体通信端末の動作モードが遷移するときに、該移動体通信端末の製造番号の読み出しを要求する製造番号読出要求を該移動体通信端末に送信し、該製造番号読出要求に応答する製造番号読出応答を該製造番号とともに該移動体通信端末から受信するように、上記データ送受信手段を制御し、該製造番号に基づいて、上記コマンドデータの送信に用いる１組のキーコマンド対応データを選択することを特徴とするものである。
また、請求項１２の発明は、請求項１０の外部装置において、上記制御手段は、利用者がキーを操作したときにそのキー操作に応じて動作させる通常キー操作動作モードから、上記コマンドデータで特定されたキー操作を行ったときと同様に動作させるキーエミュレート動作モードに、上記移動体通信端末の動作モードが遷移するときに、該移動体通信端末の通信能力の通知を要求する能力通知要求を該移動体通信端末に送信し、該能力通知要求に応答する能力通知応答を該通信能力の通知データとともに該移動体通信端末から受信するように、上記データ送受信手段を制御し、該通信能力の通知データに基づいて該移動体通信端末との間のデータ送受信時の通信条件を設定することを特徴とするものである。
また、請求項１３の発明は、請求項１０の外部装置において、上記制御手段は、利用者がキーを操作したときにそのキー操作に応じて動作させる通常キー操作動作モードから、上記コマンドデータで特定されたキー操作を行ったときと同様に動作させるキーエミュレート動作モードに、上記移動体通信端末の動作モードが遷移するときに、上記コマンドデータに基づいて実行可能な動作に関するキーエミュレートサポート情報を要求するキーエミュレートサポート情報要求を該移動体通信端末に送信し、該キーエミュレートサポート情報要求に応答するキーエミュレートサポート情報応答を該キーエミュレートサポート情報とともに該移動体通信端末から受信するように、上記データ送受信手段を制御することを特徴とするものである。
また、請求項１４の発明は、請求項１０、１１、１２又は１３の外部装置において、上記制御手段は、上記移動体通信端末の画面表示手段に特定の機能の画面をショートカットで表示させるための特定機能ショートカット要求を、上記キーエミュレート動作モードを実行している移動体通信端末に送信するように、上記データ送受信手段を制御可能なことを特徴とするものである。
また、請求項１５の発明は、請求項１０、１１、１２又は１３の外部装置において、上記制御手段は、上記キーエミュレート動作モードから、複数文字からなるテキスト情報を一括して入力するためのテキスト入力モードに遷移させるためのテキスト入力モード開始要求を、上記キーエミュレート動作モードを実行している移動体通信端末に送信するように、上記データ送受信手段を制御可能なことを特徴とするものである。
また、請求項１６の発明は、請求項１０、１１、１２又は１３の外部装置において、上記制御手段は、移動体通信ネットワークを介してメールサーバから取得したメール情報を該メールサーバから取得したタイミングで移動機から自立的に該外部装置に送信するメール出力モードに遷移させるためのメール出力モード開始要求を、上記キーエミュレート動作モードを実行している移動体通信端末に送信するように、上記データ送受信手段を制御可能なことを特徴とするものである。
また、請求項１７の発明は、請求項１０、１１、１２又は１３の外部装置において、上記制御手段は、移動体通信ネットワークを介してメールサーバからメールを取得するためのメール取得モードに遷移させるためのメール取得モード開始要求を、上記キーエミュレート動作モードを実行している移動体通信端末に送信するように、上記データ送受信手段を制御可能なことを特徴とするものである。
また、請求項１８の発明は、請求項１０、１１、１２又は１３の外部装置において、上記制御手段は、移動体通信ネットワークを介してメールサーバに送信する送信対象のメールのデータをメール送信設定要求とともに、上記キーエミュレート動作モードを実行している移動体通信端末に送信し、該メールのデータを該メールサーバに送信するためのキー操作に対応するコマンドデータを該移動体通信端末に送信するように上記データ送受信手段を制御可能なことを特徴とするものである。
また、請求項１９の発明は、請求項１０、１１、１２、１３、１４、１５、１６、１７又は１８の外部装置において、利用者が操作するための複数の外部操作用キーを備え、上記キーコマンド対応データは、該複数の外部操作用キーの識別情報と、上記移動体通信端末における複数のキー操作の識別情報と、上記コマンドデータとが互いに関連付けられたものであり、上記制御手段は、利用者が該複数の外部操作用キーのいずれかを操作したときに、その外部操作用キーに対応するコマンドデータを上記移動体通信端末に送信するように、上記データ送受信手段を制御することを特徴とするものである。
【０００７】
請求項１の移動体通信端末において、通常キー操作動作モードを選択して実行しているときは、利用者がキーを操作したときにそのキー操作に応じて動作する。一方、キーエミュレート動作モードを選択して実行しているときは、複数のキー操作それぞれに対応させて外部装置から送信されてくる複数のコマンドデータのいずれかをデータ送受信手段で受信する。このコマンドデータのいずれかと、データ記憶手段に記憶しているキーコマンド対応データとに基づいて、受信したコマンドデータに対応するキー操作を特定し、その特定されたキー操作を行ったときと同様に動作させる。
請求項２の移動体通信端末では、通常キー操作動作モードからキーエミュレート動作モードに遷移するときに、外部装置からの製造番号読出要求に応答して、移動体通信端末の製造番号を外部装置へ送信する。外部装置は、受信した製造番号に基づいて、その移動体通信端末の機種に対応する適切なコマンドデータを選択して送信できるようになる。
請求項３の移動体通信端末では、通常キー操作動作モードからキーエミュレート動作モードに遷移するときに、外部装置からの能力通知要求に応答して、移動体通信端末の通信能力の通知データを外部装置へ送信する。外部装置は、受信した通信能力の通知データに基づいて、キーエミュレート動作モードにおける移動体通信端末との間のデータ送受信時の通信条件を設定することができる。また、移動体通信端末では、外部装置に送信した通信能力の通知データに基づいて、キーエミュレート動作モードにおける外部装置との間のデータ送受信時の通信条件を設定する。このように外部装置及び移動体通信端末において、同じ通信能力の通知データに基づいて通信条件を設定することにより、キーエミュレート動作モードにおける通信を確実に行うことができるようなる。
請求項４の移動体通信端末では、通常キー操作動作モードからキーエミュレート動作モードに遷移するときに、外部装置からのキーエミュレートサポート情報要求に応答して、移動体通信端末のキーエミュレートサポート情報を外部装置へ送信する。外部装置は、受信したキーエミュレートサポート情報に基づいて、移動体通信端末でサポートされているキー操作を行ったときの動作の種類を確認することができる。この確認結果に基づいて、移動体通信端末でサポートされているキー操作に対応するコマンドデータのみを送信することにより、移動体通信端末での動作エラーの発生を未然に防止できる。
請求項５の移動体通信端末では、キーエミュレート動作モードの実行中に、外部装置から特定機能ショートカット要求を受信すると、その特定機能ショートカット要求で特定される機能の画面を画像表示手段にショートカットで表示する。
請求項６の移動体通信端末では、キーエミュレート動作モードの実行中に、外部装置からテキスト入力モード開始要求を受信すると、キーエミュレート動作モードからテキスト入力モードに遷移する。このテキスト入力モードでは、外部装置から送信されてきた複数文字からなるテキスト情報を一括して入力することができる。
請求項７の移動体通信端末では、キーエミュレート動作モードの実行中に、外部装置からメール出力モード開始要求を受信すると、キーエミュレート動作モードからメール出力モードに遷移する。このメール出力モードでは、移動体通信ネットワークを介してメールサーバから取得したメール情報をメールサーバから取得したタイミングで移動機から自立的に外部装置に送信する。
請求項８の移動体通信端末では、キーエミュレート動作モードの実行中に外部装置からメール取得モード開始要求を受信すると、キーエミュレート動作モードからメール取得モードに遷移する。このメール取得モードでは、移動体通信ネットワークを介してメールサーバからメールを受信してメールデータ記憶手段に保存し、外部装置に対して受信したメール情報を送信する。
請求項９の移動体通信端末では、キーエミュレート動作モードの実行中に外部装置から送信対象のメールのデータを受信すると、受信したメールのデータをメールデータ記憶手段に一旦保存する。その後、外部装置からメール送信指令を受信すると、メールデータ記憶手段に一旦保存したメールのデータを移動体通信ネットワークを介してメールサーバに送信する。
【０００８】
請求項１０の外部装置では、キーエミュレート動作モードを実行している移動体通信端末に対して、移動体通信端末における複数のキー操作のいずれかのキー操作に対応するコマンドデータを移動体通信端末に送信する。このコマンドデータを送信することにより、コマンドデータに対応する特定のキーを操作したときと同じ動作を移動体通信端末で実行させることができる。
請求項１１の外部装置では、製造番号読出要求に応答して移動体通信端末から送信されてきた製造番号に基づいて、その移動体通信端末の機種に対応する適切なコマンドデータを選択して送信できる。
請求項１２の外部装置では、能力通知要求に応答して移動体通信端末から送信されてきた通信能力の通知データに基づいて、移動体通信端末との間のデータ送受信時の通信条件を設定し、キーエミュレート動作モードにおける通信を確実に行うことができる。
請求項１３の外部装置では、キーエミュレートサポート情報要求に応答して移動体通信端末から送信されてきたキーエミュレートサポート情報に基づいて、移動体通信端末でサポートされているキー操作を行ったときの動作の種類を確認することができる。この確認結果に基づいて、移動体通信端末でサポートされているキー操作に対応するコマンドデータのみを送信することにより、移動体通信端末での動作エラーの発生を未然に防止できる。
請求項１４の外部装置では、特定機能ショートカット要求を送信することにより、その特定機能ショートカット要求で特定される機能の画面を移動体通信端末の画像表示手段にショートカットで表示させることができる。
請求項１５の外部装置では、テキスト入力モード開始要求を送信することにより、移動体通信端末のキーエミュレート動作モードをテキスト入力モードに遷移させ、複数文字からなるテキスト情報を一括して移動体通信端末に送信して入力することができる。
請求項１６の外部装置では、メール出力モード開始要求を送信することにより、移動体通信端末のキーエミュレート動作モードをメール出力モードに遷移させ、メールサーバから取得したタイミングで移動体通信端末から自立的に送信されるメール情報を受信して利用できるようになる。
請求項１７の外部装置では、メール取得モード開始要求を送信することにより、移動体通信端末のキーエミュレート動作モードをメール取得モードに遷移させ、メールサーバからメールを受信して移動体通信端末のメールデータ記憶手段に保存し、外部装置にもメール情報を受信し保存することができる。
請求項１８の外部装置では、キーエミュレート動作モードの実行中の移動体通信端末に、送信対象のメールのデータを送信することにより、そのメールのデータ移動体通信端末内のメールデータ記憶手段に一旦保存させる。その後、移動体通信端末にメール送信指令を送信することにより、メールデータ記憶手段に一旦保存したメールのデータを移動体通信ネットワークを介してメールサーバに送信させる。
請求項１９の外部装置では、外部操作用キーを利用者が操作すると、その外部操作用キーに対応するコマンドデータが移動体通信端末に送信され、その外部操作用キーに対応するキーを操作したときと同じように移動体通信端末を動作させることができる。そして、この外部装置の外部操作用キーは、移動体通信端末のキーとは異なり、携帯性の確保のための小型化や軽量化を図る必要がないため、操作性を優先して構成することができる。この外部装置の外部操作用キーを操作することにより、良好な操作性を確保しつつ、移動体通信端末の複数のキーそれぞれを利用者が操作したときの様々な動作を、外部装置から実行できる。
【０００９】
なお、上記「キー操作」は、移動体通信端末の複数のキーのいずれか一つのキーを利用者が操作したキー操作でもいいし、二つのキーを利用者が操作したキー操作や三つ以上のキーを利用者が操作したキー操作でもよい。一つのキーを利用者が操作した「キー操作」の場合は、この「キー操作」と移動体通信端末上の物理的な「キー」とが一対一に対応することになる。
また、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone Service）、自動車電話機等の電話機のうち、アプリケーションプログラム実行可能なものが挙げられる。また、この「移動体通信端末」としては、上記電話機のほか、電話機能を有しないＰＤＡ（Personal Digital Assistance）等の移動型の移動体通信端末も挙げられる。
また、上記「外部装置」としては、パーソナルコンピュータ等のコンピュータ装置、ＰＤＡのほか、移動体通信端末との間でデータの送受信するためのデータ送受信手段及び制御手段を内蔵し利用者が操作するキーを有するキーボード装置が挙げられる。また、この「外部装置」としては、移動体通信端末との間でデータの送受信するためのデータ送受信手段及びマイクロコンピュータを内蔵した遠隔測定装置や、自宅等で家電製品を集中制御して管理する家電製品管理装置等も挙げられる。
また、上記移動体通信端末と上記外部装置との間でデータ送受信するための通信は、１６芯のインターフェースケーブル等を使用した有線の通信でもいいし、近距離用の無線通信や、赤外線を用いた通信であってもよい。
また、上記移動体通信端末及び上記外部装置における制御及びデータ処理は、その移動体通信端末及び外部装置に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【発明の効果】
【００１０】
請求項１乃至１９の発明によれば、移動体通信端末の複数のキー操作それぞれに対応する複数のコマンドデータのいずれかを、外部装置から移動体通信端末に送信すると、外部装置から受信したコマンドデータに対応するキー操作を行ったときと同様に移動体通信端末が動作する。したがって、移動体通信端末の複数のキーそれぞれを利用者が操作したときの様々な動作を、外部装置から実行できるという効果がある。
特に、請求項２及び１１の発明によれば、移動体通信端末の機種に対応する適切なコマンドデータを選択して送信することにより、外部接続装置と通信する移動体通信端末の機種が変わったときでもキーエミュレート動作モードを確実に実行できるという効果がある。
特に、請求項３及び１２の発明によれば、キーエミュレート動作モードにおける移動体通信端末と外部装置との間の通信を確実に行うことができるという効果がある。
特に、請求項４及び１３の発明によれば、外部装置から移動体通信端末の動作を実行するときの動作エラーの発生を未然に防止できるという効果がある。
特に、請求項５及び１４の発明によれば、特定の機能の画面を移動体通信端末の画像表示手段にショートカットで表示させる動作を外部装置から実行できるという効果がある。
特に、請求項６及び１５の発明によれば、外部装置から移動体通信端末に複数文字からなるテキスト情報を一括して送信して入力することができるという効果がある。
特に、請求項７及び１６の発明によれば、移動体通信端末がメールサーバからメールを取得完了したタイミングで取得したメール情報を自立的に外部装置へ送信するという効果がある。
特に、請求項８及び１７の発明によれば、外部装置からの要求に基づいて、移動機がメールサーバから受信して取得済みのメール情報を、外部装置に送信できるという効果がある。
特に、請求項９及び１８の発明によれば、外部装置で作成したメールを移動機からメールサーバに送信できるという効果がある。
特に、請求項１９の発明によれば、外部装置の外部操作用キーを操作することにより、良好な操作性を確保しつつ、移動体通信端末の複数のキーそれぞれを利用者が操作したときの様々な動作を、外部装置から実行できるという効果がある。
【発明を実施するための最良の形態】
【００１１】
以下、本発明を携帯電話機やＰＨＳ等の移動体通信端末（以下「移動機」という。）及びその移動機にインターフェースケーブルを接続したパーソナルコンピュータ等の外部装置に適用した実施形態について説明する。
まず、外部装置１０及び移動機２０を用いた移動機操作システム、並びにそれを含む通信システムの概略構成について説明する。
図２は、本実施形態に係る移動機２０と外部装置１０とをインターフェースケーブル１１を接続して構成した移動機操作システムを含む通信システム全体の説明図である。この移動機外部操作システムでは、外部装置１０から移動機２０に所定のコマンドを送信することにより、移動機２０の複数のキーそれぞれを利用者が操作したときの様々な動作を、外部装置１０から実行できる。例えば、外部装置１０から移動機２０に文字情報を一括して送って入力したり、外部装置１０でメール本文を作成して移動機２０に送って移動機２０のメール機能を起動して移動体通信網４０のメールサーバ４３にメールを送信したりすることができる。また、外部装置１０から移動機２０を操作し、ダウロードサーバ４１からＪＡＶＡ（登録商標）等のアプリケーションプログラムをダウンロードして移動機２０内に保存することもできる。更に、外部装置１０から移動機２０を操作し、Ｗｅｂサーバ４２にアクセスして各種ＷＥＢページを閲覧したりすることもできる。なお、本実施形態では、インターフェースケーブル１１として、通常の携帯電話機で広く用いられている１６芯のシリアルインターフェースケーブルを使用している。
【００１２】
図３は移動機２０の外観図であり、図４は移動機２０のハードウェア構成を示す概略構成図である。この移動機２０は、システムバス２００、ＣＰＵ２０１、ＲＡＭ２０２やＲＯＭ２０３等からなるデータ記憶手段、入力装置２０４、出力装置２０５、移動体通信網用通信装置２０６、外部接続用インターフェース装置２０７、撮像手段としての撮像デバイス２９を備えている。ＣＰＵ２０１やＲＡＭ２０２等の構成要素は、システムバス２００を介して、互いに各種データや後述のプログラムの命令等のやり取りを行っている。上記入力装置２０４は、データ入力キー（テンキー、＊キー、＃キー）２１、通話開始キー２２、終話キー２３、スクロールキー２４、多機能キー２５等の複数のキーや、マイク２６等から構成されている。上記出力装置２０５は、画像表示手段である液晶ディスプレイ（ＬＣＤ）２７、スピーカ２８等から構成されている。上記移動体通信網用通信装置２０６は、移動体通信網４０を介して他の移動機や各種サーバ４１、４２、４３と通信するためのものである。
また、上記撮像デバイス２９としては、ＣＣＤ（Charge Coupled Device）カメラやＣＭＯＳカメラを用いることができる。また、使用環境に応じて、信号処理機能を備えた高速撮像が可能な人工網膜カメラや、赤外線やガンマ線等の可視光線以外の波長領域に感度を有するカメラを用いてもよい。この撮像デバイス２９は、人物や風景等の画像を撮影したり、接写機能により１次元や２次元のコード画像を撮影したりするときに用いられる。
【００１３】
また、上記外部接続用インターフェース装置２０７は、１６芯のインターフェースケーブル１１を介して外部装置１０との間でシリアル通信を行うためのものである。
【００１４】
図５は、外部装置１０のハードウェア構成の一例を示す概略構成図である。この外部装置１０は、システムバス１００、ＣＰＵ１０１、ＲＡＭ１０２やＲＯＭ１０３等からなる内部記憶装置、ハードディスクドライブ（ＨＤＤ）や光ディスクドライブ等からなる外部記憶装置１０４、マウスやキーボード等からなる入力装置１０５、ディスプレイやプリンタ等からなる出力装置１０６、インターフェースケーブル１１を介して移動機２０と通信するための移動機接続用インターフェース装置１０７を備えている。この外部装置１０においてＣＰＵ１０１やＲＡＭ１０２等の構成要素はお互いに、システムバス１００を介して、データやプログラムの命令等のやり取りを行っている。外部装置１０を所定の手順に従って動作させるためのプログラムはＲＯＭ１０３や外部記憶装置１０４に記憶されており、必要に応じてＣＰＵ１０１やＲＡＭ１０２上の作業エリアに呼び出されて実行される。
上記入力装置１０５のキーボードを構成する複数のキーは、利用者が移動機２０を操作するときの外部操作用キーとしても用いられる。
【００１５】
図１は、本実施形態の移動機操作システムを構成する移動機２０及び外部装置１０の機能ブロック図である。
移動機２０は、図４に示したハードウェア上で所定のプログラムを実行することにより、図１に示すデータ送受信手段２１０、制御手段２１１、データ記憶手段２１２の各機能を実現している。
上記データ送受信手段２１０は、移動機２０のＣＰＵ２０１、外部接続用インターフェース装置２０７等により構成され、インターフェースケーブル１１を介して外部装置１０との間でデータを送受信する機能を有している。
上記制御手段２１１は、移動機２０のＣＰＵ２０１、ＲＡＭ２０２等により構成され、通常キー操作動作モードとキーエミュレート動作モードとを選択的に実行する機能を有している。通常キー操作動作モード（以下「通常モード」という。）は、利用者が上記キーを操作したときにそのキー操作に応じて移動機２０を動作させる動作モードである。キーエミュレート動作モード（以下「キーエミュレートモード」という。）は、データ送受信手段２１０で外部装置１０から受信した複数のコマンドデータのいずれかと、データ記憶手段に記憶しているキーコマンド対応データとに基づいて、コマンドデータに対応するキー操作を特定し、その特定されたキー操作を行ったときと同様に移動機２０を動作させる動作モードである。
上記データ記憶手段２１２は、移動機２０のＲＡＭ２０２等により構成され、利用者が操作可能な複数のキー操作の識別情報と、複数のキー操作それぞれに対応させて外部装置１０から送信されてくる複数のコマンドデータとが互いに関連付けられたキーコマンド対応データを記憶している。このデータの読み出しや保存は、上記制御手段２１１で制御される。
【００１６】
一方、外部装置１０は、図５に示したハードウェア上で所定のプログラムを実行することにより、図１に示すデータ送受信手段１１０、制御手段１１１及びデータ記憶手段１１２の各機能を実現している。
上記データ送受信手段１１０は、外部装置１０のＣＰＵ１０１、移動機接続用インターフェース装置１０７等により構成され、インターフェースケーブル１１を介して移動機２０との間でデータを送受信する機能を有している。
上記データ記憶手段１１２は、外部装置１０のＲＡＭ１０２等により構成され、外部装置１０の入力装置１０５におけるキーボードの複数の外部操作用キーの識別情報と、移動機２０における複数のキー操作の識別情報と、複数のキー操作それぞれに対応させて移動機２０に送信する複数のコマンドデータとが互いに関連付けられたキーコマンド対応データを記憶している。このデータの読み出しや保存は、制御手段１１１で制御される。
上記制御手段１１１は、データ記憶手段１１２に記憶しているキーコマンド対応データに基づいて、移動機２０における複数のキー操作のいずれかのキー操作に対応するコマンドデータを移動機２０に送信するように、上記データ送受信手段１１０を制御する機能を有している。
【００１７】
前述の通り、本実施形態ではインターフェースケーブル１１として１６芯のシリアルケーブルを用いている。よって、移動機２０及び外部装置１０には同ケーブル用のコネクタが設けられており、これらのケーブル及びコネクタは１６芯シリアル端子を有している。
本実施形態では、１６個のシリアル端子のうちの特定の端子を「上りシリアル信号用端子」、「下りシリアル信号用端子」、「シリアル信号用接地端子」、「移動機操作部制御用端子」として割り当てている。なお、本実施形態では、上記「上りシリアル信号用端子」を介して外部装置１０から移動機２０に送信されるシリアル信号を「上りシリアル信号」といい、上記「下りシリアル信号用端子」を介して移動機２０から外部装置１０に送信されるシリアル信号を「下りシリアル信号」という。
上記「移動機操作部制御用端子」は移動機２０の操作部（各種キー）を制御する信号を送受信するための端子である。この信号によって外部装置１０から移動機２０にコマンドデータが伝送される。
【００１８】
図６及び図７は、上記移動機２０と外部装置１０との間で送受信されるシリアル信号の信号フォーマットを例示したものである。図６の信号フォーマットは、移動機２０と外部装置１０との間で送受信されるメッセージを識別するメッセージ識別情報のブロックのみで構成されている。図７の信号フォーマットは、上記メッセージ識別情報のブロックと、それに続けて送信される付加情報のブロックとにより構成されている。この付加情報は、後述の製造番号情報、対応通信速度、暗証番号等の情報である。付加情報のブロックは、単一のブロックで構成してもいいし、複数のブロックで構成してもよい。
また、これらのシリアル信号は複数ビットを１単位として送受信される。このシリアル信号の１単位は特定のビット構成に限定されるものではなく、種々のビット構成を採用し得る。例えば、スタートビット（１ビット）、データビット（８ビット）、偶数パリティ及びストップビット（１ビット）の合計１１ビットでシリアル信号の１単位を構成することができる。
【００１９】
次に、上記構成の外部装置１０と移動機２０との間の通信処理、並びに移動機２０で実行される動作モード及び各種機能について説明する。
〔動作モード及びサポート機能〕
図８は、本実施形態の移動機２０における複数の動作モード間の遷移と、キーエミュレートモードで動作させることができる機能とを示している。この移動機２０は、外部装置１０との間で無線装置識別要求（キーエミュレートモード要求）等を送受信することにより、通常モードからキーエミュレートモードに遷移することができる。また、このキーエミュレートモードの実行中に、外部装置１０から所定のモード遷移要求を受けることにより、「テキスト入力モード」、「メール出力モード」及び「メール取得モード」に遷移することができる。また、キーエミュレートモードでは、キーエミュレート機能のほか、外部装置１０からの所定コマンドによって次のような機能の動作を実行することができる。
（Ａ）メール作成ショートカット機能
（Ｂ）Ｗｅｂショートカット機能
（Ｃ）メール送信機能
（Ｄ）インターネット（ＵＲＬ）機能
（Ｅ）掲示板書込み機能
【００２０】
〔キーエミュレートモードへの遷移〕
図９は、移動機２０の動作モードを通常モードからキーエミュレートモードへ遷移させる処理のフローチャートであり、図１０は同処理のシーケンス図である。
（１）キーエミュレートモードへの遷移は、「無線装置識別要求」（キーエミュレートモード要求）−「無線装置識別リセット」／「無線装置識別表示」（キーエミュレートモード応答）の送受信処理によって開始する（Ａ−２）。
上記「無線装置識別要求」（キーエミュレートモード要求）は、図６の信号フォーマットで送受信される。同図に示すメッセージ種別情報ブロック（メッセージ種別の識別情報を入れるブロック）には、「無線装置識別要求」に対応するメッセージ識別情報が入る。移動機２０は、外部装置１０から受信した受信信号のメッセージ種別情報ブロックの内容を確認することにより、当該受信信号が「無線装置識別要求」（キーエミュレートモード要求）であることを認識する。
上記「無線装置識別要求」キーエミュレートモード要求を送信後、一定時間経過しても移動機２０から外部装置１０へ「無線装置識別リセット」／「無線装置識別表示」（キーエミュレートモード応答）が送信されない場合、外部装置１０は「移動機２０がキーエミュレートモードへ遷移できない状態にある（電源が入っていない場合も含む）」と判断し、その旨ユーザに通知する等して終了処理を実行する。
上記「無線装置識別リセット」／「無線装置識別表示」（キーエミュレートモード応答）は、図６の信号フォーマットで送受信される。同図に示すメッセージ情報種別のブロックには、「無線装置識別リセット／無線装置識別表示」に対応するメッセージ識別情報が入る。外部装置１０は、移動機２０から受信した受信信号のメッセージ種別情報ブロックの内容を確認することにより、当該受信信号が「無線装置識別リセット」／「無線装置識別表示」（キーエミュレートモード応答）であることを認識する。
【００２１】
（２）次に、移動機２０および外部装置１０は、製造番号読出要求／応答（Ａ−３）、能力通知要求／応答（Ａ−４）、暗証番号照合要求／受付（Ａ−５）を送受信することによって、キーエミュレートモードの初期設定を完了する。
上記「製造番号読出要求」は、図６の信号フォーマットで送受信される。同図に示すメッセージ情報種別のブロックには、「製造番号読出要求」に対応する識別情報が入る。移動機２０は、外部装置１０から受信した受信信号のメッセージ種別情報ブロックの内容を確認することにより、当該受信信号が「製造番号読出要求」であることを認識する。
上記「製造番号読出応答」は、図７の信号フォーマットで送受信される。同図に示すメッセージ情報種別のブロックには「製造番号読出応答」に対応する識別情報が入り、付加情報のブロックには移動機２０の製造番号に対応する情報が入る。外部装置１０は、移動機２０から受信した受信信号のメッセージ種別情報ブロックの内容を確認することにより、当該受信信号が「製造番号読出応答」であることを認識する。また、付加情報ブロックの内容を確認することにより、移動機２０の製造番号を認識する。
【００２２】
（３）「能力通知要求」／「能力通知応答」は、移動機２０および外部装置１０が対応している通信速度を設定して送受信する。相手側より通知された対応通信速度と自分側の対応通信速度を比較して、最高の通信速度を選択して以降の通信を行う。
上記「能力通知要求」は、図７の信号フォーマットで送受信される。同図に示すメッセージ種別情報のブロックには、「能力通知要求」に対応する識別情報が入り、付加情報のブロックには、外部装置１０のサポートする通信速度を示す情報が入る。具体的には、上記付加情報のブロックを複数のビットで構成し、各ビットと通信速度とを対応させ、外部装置１０がサポートしている通信速度に対応するビットに「１」を入れる。例えば、第１ビットを「６００ｂｐｓ」、第２ビットを「２４００ｂｐｓ」、第３ビットを「４８００ｂｐｓ」、第４ビットを「９６００ｂｐｓ」、第５ビットを「１４４００ｂｐｓ」、第６ビットを「１９２００ｂｐｓ」として割り当て、外部装置１０のサポートする通信速度に対応するビットに「１」を入れる。このとき、外部装置１０が通信速度９６００ｂｐｓと１９２００ｂｐｓとをサポートしている場合には、第４ビットと第６ビットに「１」を入れる。
移動機２０は、外部装置１０から受信した受信信号のメッセージ種別情報ブロックの内容を確認することにより、当該受信信号が「能力通知要求」であることを認識する。また、受信信号の付加情報ブロックの内容を確認することにより、外部装置１０のサポートしている通知速度を認識する。
上記「能力通知応答」は、図７の信号フォーマットで送受信される。同図に示すメッセージ種別情報のブロックには「能力通知応答」に対応する識別情報が入り、付加情報ブロックには、移動機２０のサポートする通信速度を示す情報が入る。具体的には前述の「能力通知要求」と同様であり、付加情報ブロックを複数のビットで構成し、各ビットと通信速度とを対応させ、移動機２０がサポートしている通信速度に対応するビットに「１」を入れる。
以上のようにして、外部装置１０及び移動機２０は互いのサポートしている通信速度を認識することができ、最高の通信速度を選択して以降の通信を行う。
【００２３】
（４）「暗証番号照合要求」／「暗証番号応答」ではセキュリティ確保のための照合を行う。「暗証番号照合要求」を受信した移動機２０は内部で設定されている暗証番号と照合し、暗証番号が異なる場合は「暗証番号応答（拒否）」を送信する（Ａ−６）。
上記「暗証番号照合要求」は、図７の信号フォーマットで送受信される。同図に示すメッセージ種別情報のブロックには「暗証番号照合要求」に対応する識別情報が入り、付加情報のブロックには暗証番号が入る。移動機２０は、外部装置１０から受信した受信信号のメッセージ種別情報ブロックの内容を確認することにより、当該受信信号が「暗証番号照合要求」であることを認識する。また、受信信号の付加情報ブロックの内容を確認することにより、外部装置１０からの暗証番号を認識する。
上記「暗証番号応答」は、図７の信号フォーマットで送受信される。同図に示すメッセージ種別情報のブロックには「暗証番号応答」に対応する識別情報が入り、付加情報のブロックには暗証照合結果（受付／拒否）が入る。移動機２０は、暗証番号照合要求によって外部装置１０から受信した暗証番号と、内部に記憶している暗証番号とを照合する。その結果、照合一致した場合には、付加情報ブロックに「受付」と入れ、不一致であった場合には付加情報ブロックに「拒否」と入れる。
【００２４】
（５）キーエミュレートサポート情報要求／応答（Ａ−７）により、移動機２０および外部装置１０は相手側が対応している機能および通信のためのフォーマットを認識する。移動機２０および外部装置１０が共に対応している機能のみ実行可能である。
上記「キーエミュレートサポート情報要求」は、図７の信号フォーマットで送受信される。同図に示すメッセージ種別情報のブロックには「キーエミュレートサポート情報要求」に対応する識別情報が入る。付加情報のブロックは機能ブロック及びフォーマットサイズブロックで構成され、機能ブロックには、外部装置１０のサポート機能を示す情報が入り、フォーマットサイズブロックには、外部装置１０のサポートするデータサイズが入る。
具体的には、上記機能ブロックを複数のビットで構成し、各ビットとサポート機能とを対応させ、外部装置１０がサポートしている機能に対応するビットに「１」を入れる。例えば、第１ビットを「メール作成ショートカット」、第２ビットを「Ｗｅｂショートカット」、第３ビットを「メール送信」、第４ビットを「インターネットアクセス」、第５ビットを「掲示板書込み」として割り当て、外部装置１０のサポートする機能に対応するビットに「１」を入れる。このとき、外部装置１０が前記機能全てをサポートしている場合には、第１ビット〜第５ビットに「１」を入れる。
上記フォーマットサイズブロックについても同様であり、当該ブロックを複数のビットで構成し、各ビットとサポートデータサイズとを対応させ、外部装置１０がサポートしているデータサイズに対応するビットに「１」を入れる。例えば、第１ビットを「１２８バイト」、第２ビットを「２５６バイト」、第３ビットを「５１２バイト」、第４ビットを「１０２４バイト」、第５ビットを「２０４８バイト」として割り当て、外部装置１０のサポートするデータサイズに対応するビットに「１」を入れる。このとき、外部装置１０が「１２８バイト、５１２バイト、２０４８バイト」をサポートしている場合には、第１ビット、第３ビット、第５ビットに「１」を入れる。
移動機２０は、外部装置１０から受信した受信信号のメッセージ種別情報ブロックの内容を確認することにより、当該受信信号が「キーエミュレートサポート情報要求」であることを認識する。また、受信信号の機能ブロックとフォーマットサイズブロックの内容を確認することにより、外部装置１０のサポートしている機能とデータサイズとを認識する。
【００２５】
上記「キーエミュレートサポート情報応答」は、図７の信号フォーマットで送受信される。同図に示すメッセージ種別情報のブロックには、「キーエミュレートサポート情報応答」に対応する識別情報が入る。付加情報のブロックは、プロトコルバージョンブロック、機能ブロック、フォーマットサイズブロック及びサポート情報ブロックで構成されている。上記プロトコルバージョンブロックには、移動機２０が対応しているキーエミュレート機能のプロトコルバージョンが入る。具体的には、バージョン１．０の場合には「１」、バージョン２．０の場合には「２」、バージョン３．０の場合には「３」が入る。また、上記機能ブロックには「移動機２０のサポート機能を示す情報」が入り、フォーマットサイズブロックには「移動機２０のサポートするデータサイズ」が入り、サポート情報ブロックには「キー入力に対する応答可否」が入る。上記機能ブロックとフォーマットサイズブロックとについては、キーエミュレートサポート情報要求の機能ブロック及びフォーマットサイズブロックと同様であるので説明を省略する。サポート情報ブロックは１または２以上のビットで構成されており、外部装置１０からのキー入力に対する応答が可能な場合には「１」を入れ、不可能な場合には「０」を入れる。
【００２６】
（６）「キーエミュレートサポート情報要求／応答の送受信処理が完了した後、キーエミュレートモードに遷移し（Ａ−８）、キーエミュレートモードの信号および手順で動作を行うことができる。
【００２７】
図１１及び図１２は、上記キーエミュレートモードへの遷移処理において、移動機２０及び外部装置１０の各ディスプレイに表示されるメッセージを例示したシーケンス図である。図１２は、図１１のシーケンスに続いて実行される処理のシーケンスを示している。
キーエミュレートモードへの遷移を開始するにあたって、外部装置１０のディスプレイには、「外部接続モード開始ＹＥＳ／ＮＯ」というメッセージが表示される。この表示を見て利用者が「ＹＥＳ」を選択する操作をすると、上記「無線装置識別要求」が外部装置１０から移動機２０に送信される。
外部装置１０から２回目の「無線装置識別要求」を受信した移動機２０のディスプレイには、「外部接続モード遷移中。しばらくお待ちください。」というメッセージが表示される。
上記「製造番号読出要求」／「製造番号読出応答」及び「能力通知要求」／「能力通知応答」の送受信が完了すると、外部装置１０のディスプレイには、「移動機の暗証番号を入力してください。・・・」というメッセージが表示される。利用者が暗証番号を入力すると、入力した暗証番号とともに「暗証番号照合要求」が外部装置１０から移動機２０へ送信される。この「暗証番号照合要求」を受信した移動機２０のディスプレイには、「暗証番号照合中」というメッセージが表示される。
移動機２０での暗証番号の照合処理において照合に成功した場合は、「暗証番号応答（受付）」が移動機２０から外部装置１０へ送信される。この「暗証番号応答（受付）」を受信した外部装置１０のディスプレイには、「暗証番号照合ＯＫ」というメッセージが表示される。一方、暗証番号の照合に失敗した場合は、「暗証番号応答（拒否）」が移動機２０から外部装置１０へ送信される。この「暗証番号応答（拒否）」を受信した外部装置１０のディスプレイには、「暗証番号が違います。もう一度入力してください」というメッセージが表示される。このメッセージ表示を見て利用者は再度、暗証番号を入力する。ここで、暗証番号の照合に所定回数（図１１の例では３回）失敗した場合は、「異常強制終了（暗証番号照合失敗）」が移動機２０から外部装置１０へ送信される。この「異常強制終了（暗証番号照合失敗）」を受信した外部装置１０のディスプレイには、「最初からやり直してください。」というメッセージが表示され、移動機２０は通常モードになり、外部装置１０のディスプレイには上記「外部接続モード開始ＹＥＳ／ＮＯ」というメッセージが表示される。
上記移動機２０での暗証番号の照合処理において照合に成功し、外部装置１０のディスプレイに「暗証番号照合ＯＫ」というメッセージが表示された後、「キーエミュレートサポート情報要求」が外部装置１０から移動機２０に送信される。このとき、外部装置１０のディスプレイには、「しばらくお待ち下さい。」というメッセージが表示される。上記「キーエミュレートサポート情報要求」を受信した移動機２０が「キーエミュレートサポート情報応答」を外部装置１０に送信すると、移動機２０のディスプレイに「外部接続モード初期設定が完了しました。」というメッセージが表示される。そして、外部装置１０のディスプレイに「外部接続モード初期設定完了」というメッセージが表示され、キーエミュレートモードへの遷移処理が終了する。
【００２８】
〔キーエミュレート機能〕
図１３は、キーエミュレートモードにおいて「キーエミュレート機能」を実行する処理のフローチャートであり、図１４は同処理のシーケンス図である。この「キーエミュレート機能」は次のような手順で実行することができる。
（１）移動機２０は、キーエミュレートモード中（Ｂ−１）に外部装置１０から「キー入力要求」を受信（Ｂ−２，Ｂ−３）することにより、該当するキーが押下された時と同様の動作を行う（Ｂ−４，Ｂ−５）。
【００２９】
上記「キー入力要求」が以下のような所定の信号フォーマットを有することで、キーの長押し／ダブルクリック／押下回数／多重の指定を行うことも可能である。
例えば、図１５に示すような信号フォーマットで「キー入力要求」を送受信する。この「キー入力要求」の信号フォーマットは、メッセージ識別情報のブロックと、３つのブロックからなる付加情報のブロックとにより構成されている。メッセージ種別情報ブロックには「キー入力要求」に対応する識別情報が入る。
第１付加情報ブロックはシーケンス番号ブロックであり、このブロックにはシーケンス番号（例えば、１〜２５５）が入る。
第２付加情報ブロックには、応答要否、長押し、ダブルクリック及び押下回数の各情報が入る。応答要否の情報は、当該キー入力に対する応答の必要／不要を表す情報（例えば、応答が必要な場合は「１」、不要な場合は「０」など）である。長押しの情報は長押しの有無を表す情報（例えば、キーの押下時間が所定時間以上であった場合には「１」、所定時間未満であった場合には「０」など）である。ダブルクリックの情報はダブルクリックの有無を表す情報（例えば、２回連続でキー押下された場合には「１」、そうでなかった場合には「０」など）である。押下回数の情報は、キー押下された回数を表す情報である。
第３付加情報ブロックには、キー番号及び多重フラグの各情報が入る。キー番号の情報は、押下されたキーのキー番号を表す情報である。多重フラグの情報は、後続キーの有無を示す情報（例えば、後続キー有りの場合「１」、無しの場合「０」など）である。そして、Ｎ個のキーが同時に押下された場合には、１番目〜（Ｎ−１）番目の多重フラグとして、後続キー有りを示す情報（例えば「１」）を入れ、Ｎ番目の多重フラグとして、後続キーが無いことを示す情報（例えば「０」）を入れる。
【００３０】
（２）移動機２０は「キー入力要求」に対して、その操作を受け付けるか否か、「キー入力応答」によって返信する（Ｂ−４，Ｂ−６）。
例えば、前述の図７に示すような信号フォーマットで「キー入力応答」を送受信する。この「キー入力応答」のメッセージ識別情報ブロックには「キー入力応答（ＯＫ）」又は「キー入力応答（ＮＧ）」に対応する識別情報が入り、付加情報ブロック（シーケンス番号ブロック）にはシーケンス番号（例えば、１〜２５５）が入る。この「キー入力応答」を送受信することにより、外部装置１０はキー操作が受付されたかどうか確認が可能である。移動機２０の状態によって役割の異なるソフトキーについてはソフトキー１、ソフトキー２・・・と定義し、各状態におけるソフトキーの役割は外部装置１０側で把握する。
【００３１】
表１は、上記「キー入力要求」で指定可能なキー名称の一例を示している。これらのキー名称を識別する識別情報（キー番号）と、各キー名称に対して一意的に設定されたコマンドデータとが関連付けられたキーコマンド対応データ（コマンドテーブル）が、外部装置１０のデータ記憶部に記憶されている。一方、移動機２０のデータ記憶部には、上記コマンドデータと複数のキー操作の識別情報とが互いに関連付けられたキーコマンド対応データが記憶されている。
なお、複数のコマンドデータが移動機２０上での同一のキー操作に対応している場合、それらのコマンドデータでの「キー入力要求」の信号によるキー操作は同一の処理となる。また、上記コマンドデータが移動機２０には存在しないキーの操作に対応する場合は、そのコマンドデータによる「キー入力要求」の信号は無効となる。また、上記ソフトキーは、移動機２０のディスプレイ（ＬＣＤ）上に表示されるキーである。このソフトキーはディスプレイ（ＬＣＤ）上に表示されている場合に有効であり、表示されている場面ごとに表示内容のキーとして機能する。
【００３２】
【表１】
2005033776.tif 000003
【００３３】
図１６は、キーエミュレートモードで暗証番号を入力するときの処理のフローチャートであり、図１７は、同処理のシーケンス図である。移動機２０は、キーエミュレートモード（Ｃ−１）においてダイヤルロックやシークレットモード突入等の暗証番号入力待ちの場合（Ｃ−２）、「暗証番号要求」を送出（Ｃ−３）することで外部装置１０に対して暗証番号の入力を求めていることを通知する。外部装置１０は、移動機２０から「暗証番号要求」を受信することにより、移動機２０が暗証番号入力待ちの状態にであることを認識し、暗証番号を入力可能な状態になる（Ｃ−４）。この「暗証番号要求」は、前述の図６の信号フォーマットで送受信される。同図に示すメッセージ種別情報ブロックには、「暗証番号要求」に対応するメッセージ識別情報が入る。
外部装置１０で入力された暗証番号は、「暗証番号照合要求」とともに移動機２０に送信される（Ｃ−５，Ｃ−６）。移動機２０は「暗証番号照合要求」を受信した場合、「暗証番号応答」により暗証番号の照合結果を外部装置１０に送信する（Ｃ−８，Ｃ−１０）。移動機２０は「暗証番号照合要求」を受信した場合、「暗証番号応答」により暗証番号の照合結果を外部装置１０に送信する（Ｃ−８〜Ｃ−１０）。なお、「暗証番号照合要求」及び「暗証番号応答」の信号フォーマットについては前述したので説明を省略する。また、外部装置１０は、「キー入力要求」により暗証番号の入力を行うこともできるい。ただし、この場合、移動機２０は「キー入力要求」によって入力された暗証番号の照合結果を外部装置１０に通知しない。
【００３４】
〔テキスト入力モード〕
図１８は「テキスト入力モード」の処理のフローチャートであり、図１９は同処理のシーケンス図である。
（１）キーエミュレートモードに遷移している状態（Ｄ−１）で外部装置１０から「テキスト入力モード開始要求」を送出する（Ｄ−２）。移動機２０はテキスト入力可能な状態の場合「テキスト入力モード開始応答（ＯＫ）」を返す（Ｄ−４）。
上記「テキスト入力モード開始要求」は、前述の図６の信号フォーマットで送受信される。同図に示すメッセージ情報種別のブロックには、「テキスト入力モード開始要求」に対応する識別情報が入る。移動機２０は、外部装置１０から受信した受信信号のメッセージ種別情報ブロックの内容を確認することにより、当該受信信号が「テキスト入力モード開始要求」であることを認識する。
上記「テキスト入力モード開始応答（ＯＫ）」は、前述の図７の信号フォーマットで送受信される。同図に示すメッセージ情報種別のブロックには「テキスト入力モード開始応答（ＯＫ）」に対応する識別情報が入り、付加情報のブロックには、移動機２０に入力可能な文字コードの情報が入る。具体的には、付加情報のブロック（文字コードブロック）を複数のビットで構成し、各ビットと文字コードとを対応させ、移動機２０に入力可能な文字コードに対応するビットに「１」を入れる。例えば、第１ビットを「ＩＡ５／ａｓｃｉｉ」、第２ビットを「ＪＩＳ  Ｘ  ０２０８」、第３ビットを「Ｓｈｉｆｔ  ＪＩＳ」、第４ビットを「Ｔｒａｎｓｐａｒｅｎｔ」、第５ビットを「ｉｇｎｏｒｅ」として割り当て、移動機２０の入力可能な文字コードに対応するビットに「１」を入れる。このとき、移動機２０が前記文字コード全てをサポートしている場合には、第１ビット〜第５ビットに「１」を入れる。
外部装置１０は、移動機２０から受信した受信信号のメッセージ種別情報ブロックの内容を確認することにより、当該受信信号が「テキスト入力モード開始応答（ＯＫ）」であることを認識する。また、付加情報ブロックの内容を確認することにより、移動機２０に入力可能な文字コードを認識する。
【００３５】
２）移動機２０は以降、テキスト入力モードとなる（Ｄ−５）。そして、移動機２０が外部装置１０からの「テキスト入力要求」（Ｄ−６）を受け付けた場合には、「テキスト入力応答（ＯＫ）」を返す。
上記「テキスト入力要求」は、図２０の信号フォーマットで送受信される。この「テキスト入力要求」の信号フォーマットは、メッセージ識別情報のブロックと、６つのブロックからなる付加情報のブロックとにより構成されている。メッセージ種別情報ブロックには「テキスト入力要求」に対応する識別情報が入る。第１付加情報ブロックは継続フラグブロックであり、「継続するテキスト入力要求信号の有無」を表すフラグ情報（例えば、継続ありの場合には「１」、継続なしの場合には「０」など）が入る。第２付加情報ブロックはデータ長ブロックであり、当該信号のデータ長が入る。第３付加情報ブロックはＤＣＳブロックであり、文字コードを表す値（例えば、ＪＩＳコードの場合には「３」等）が入る。第４付加情報ブロックはテキストデータ長ブロックであり、テキストデータのデータ長が入り、第５付加情報ブロックはテキストデータブロックであり、テキストデータが入る。第６付加情報ブロックはチェックサムブロックであり、ヘッダからチェックサム直前までのデータ１オクテッド毎の算術和の全て又は一部が入る。
上記「テキスト入力応答（ＯＫ）」は、前述の図６の信号フォーマットで送受信される。同図に示すメッセージ情報種別のブロックには、「テキスト入力応答（ＯＫ）」に対応する識別情報が入る。移動機２０は、外部装置１０から受信した受信信号のメッセージ種別情報ブロックの内容を確認することにより、当該受信信号が「テキスト入力応答（ＯＫ）」であることを認識する。
【００３６】
（３）その後、テキスト入力モードからキーエミュレートモードに戻る際には、外部装置１０から移動機２０に対して「テキスト入力モード終了要求」を送信する。これに対し、移動機２０は外部装置１０に対し、「テキスト入力モード終了応答」を返信する。
上記「テキスト入力モード終了要求」は、前述の図６の信号フォーマットで送受信される。同図に示すメッセージ種別情報のブロックには「テキスト入力モード終了要求」に対応する識別情報が入る。また、上記「テキスト入力モード終了応答」は、前述の図６の信号フォーマットで送受信される。同図に示すメッセージ種別情報のブロックには「テキスト入力モード終了応答」に対応する識別情報が入る。
（４）移動機２０がテキスト入力可能な状態でない時に「テキスト入力モード開始要求」を受けた場合は「テキスト入力モード開始応答（ＮＧ）」を返す（Ｄ−１０）。この「テキスト入力モード開始応答（ＮＧ）」は、前述の図６の信号フォーマットで送受信される。同図に示すメッセージ種別情報のブロックには「テキスト入力モード開始応答（ＮＧ）」に対応する識別情報が入る。
【００３７】
〔メール作成ショートカット機能〕
図２１はキーエミュレートモードにおいて「メール作成ショートカット機能」を実行する処理のフローチャートであり、図２２は同処理のシーケンス図である。
（１）キーエミュレートモードにおいて外部装置１０から「メール作成ショートカット要求」を受信した場合（Ｅ−２）、移動機２０はメールの種別や、遷移先の詳細な指定（例えばメール設定の中のカーソルの位置を宛先や件名や本文のどれかに指定したりする）に従って定められた画面へと遷移する（Ｅ−３）。
上記「メール作成ショートカット要求」は、図２３の信号フォーマットで送受信される。この「メール作成ショートカット要求」の信号フォーマットは、メッセージ識別情報のブロックと、２つのブロックからなる付加情報のブロックとにより構成されている。メッセージ種別情報ブロックには「メール作成ショートカット要求」に対応する識別情報が入る。第１付加情報ブロックはメール種別ブロックであり、作成対象のメール種別に対応する識別情報が入る。また、第２付加情報ブロックは遷移先指定ブロックであり、遷移先（例えば、宛先、件名、本文等）を表す情報が入る。
【００３８】
〔Ｗｅｂショートカット機能〕
図２４は、キーエミュレートモードにおいて「Ｗｅｂショートカット機能」を実行する処理のフローチャートであり、図２５は同処理のシーケンス図である。
キーエミュレートモードにおいて外部装置１０から「Ｗｅｂショートカット要求」を受信（Ｆ−２）した場合、移動機２０は遷移先指定で選択されたメニューの項目にカーソルが当たった状態へと遷移する（Ｆ−３）。
上記「Ｗｅｂショートカット要求」は、前述の図７に示す信号フォーマットで送受信される。同図に示すメッセージ識別情報ブロックには「Ｗｅｂショートカット要求」に対応する識別情報が入り、付加情報ブロック（遷移先指定ブロック）には遷移先（例えば、メインメニュー、マイリンク、ブックマーク、インターネットアクセス、ホーム等）を表す情報が入る。
【００３９】
〔メール送信機能〕
図２６は、キーエミュレートモードにおいて「メール送信機能」を実行する処理のフローチャートであり、図２７は同処理のシーケンス図である。
（１）キーエミュレートモードに遷移している状態で外部装置１０から「メール送信設定要求」（Ｇ−２）を受信した場合、移動機２０は、メールデータ（宛先、件名、本文など）の設定を行い（Ｇ−３）、外部装置１０へ「継続データ要求」、「メール送信設定応答（ＯＫ）」又は「メール送信設定応答（ＮＧ）」を返信する。そして、「操作コマンド（送信）」を契機にメール送信を行う（Ｇ−４〜Ｇ−６）。
上記「メール送信設定要求」は、前述の図７に示す信号フォーマットで送受信される。この「メール送信設定要求」の信号フォーマットは、メッセージ識別情報のブロックと、複数のブロックからなる付加情報のブロックとにより構成されている。メッセージ種別情報ブロックには「メール送信設定要求」に対応する識別情報が入る。付加情報ブロックには、継続フラグ、データ長、重要度、宛先件数、宛先種別、宛先データ長、宛先、ＤＣＳ、件名データ長、件名データ本文データ長、本文、チェックサム等の情報が入る。
上記「継続データ要求」、「メール送信設定応答（ＯＫ）」及び「メール送信設定応答（ＮＧ）」は、前述の図６の信号フォーマットで送受信される。同図に示すメッセージ種別情報のブロックには、「継続データ要求」、「メール送信設定応答（ＯＫ）」及び「メール送信設定応答（ＮＧ）」に対応する識別情報が入る。
上記「操作コマンド」は、前述の図７の信号フォーマットで送受信される。同図に示すメッセージ種別情報のブロックには「操作コマンド」に対応する識別情報が入り、付加情報のブロックにはオペレーションコード（送信又はキャンセル）の情報が入る。
【００４０】
ここで、上記「操作コマンド」は直前に設定したメールデータに対して有効であり、送信（Ｇ−５）、キャンセル（Ｇ−９）が可能である。キャンセルの場合、「メール送信設定」が行われる前の状態に戻り（Ｇ−１）、設定されたメールデータは破棄される。
また、移動機２０は、次の（ａ）〜（ｇ）に示すような処理も行う。
（ａ）上記「操作コマンド」の直前に「メール送信設定」がない場合は、「操作コマンド」に対して後述の「メール送信応答（ＮＧ）」を返信する。
（ｂ）メール機能がＯＦＦ設定されている場合、上記「メール送信設定」に対して「メール送信設定応答（ＮＧ）」を返信する。
（ｃ）上記「メール送信設定」で指定された宛先種別とＤＣＳ（Data Coding Scheme）、及びＤＣＳとメールの本文データとの整合性をチェックする。
（ｄ）上記「メール送信設定」で、宛先がＥ−ｍａｉｌでＤＣＳにＩＳＯ−２０２２−ＪＰ以外が設定されている場合は「メール送信設定応答（ＮＧ）」を返信する。
（ｅ）上記「メール送信設定」によるメールデータの設定でエラーが発生した場合、「メール送信設定応答（ＮＧ）」を返信し、入力されたメールデータは破棄する。
（ｆ）本メール送信機能によるメール送信を行う場合、配信確認の設定は移動機２０の設定により行う。
（ｇ）上記「メール送信設定」を連続して受信した場合、最後に受信したものを有効としてメールデータを設定する。
【００４１】
（２）移動機２０は、上記「操作コマンド」に基づいてメールの送信処理を行った後、移動体通信網からの「送信結果」の情報をもとに、「メール送信応答（ＯＫ）」又は「メール送信応答（ＮＧ）」を外部装置１０に送信する（Ｇ−７，Ｇ−８，Ｇ−１０）。
上記「メール送信応答（ＯＫ）」及び「メール送信応答（ＮＧ）」は、前述の図６の信号フォーマットで送受信される。同図に示すメッセージ情報種別のブロックには、「メール送信応答（ＯＫ）」又は「メール送信応答（ＮＧ）」に対応する識別情報が入る。外部装置１０は、移動機２０から受信した受信信号のメッセージ種別情報ブロックの内容を確認することにより、メール送信が成功したか否かを認識する。
【００４２】
〔インターネットアクセス（ＵＲＬ）機能〕
図２８は、キーエミュレートモードにおいて「インターネットアクセス（ＵＲＬ）機能」を実行する処理のフローチャートであり、図２９は同処理のシーケンス図である。
（１）キーエミュレートモードに遷移している状態で外部装置１０からＵＲＬ文字列を含んだ「ＵＲＬ情報設定要求」（Ｈ−２）を受信した場合、移動機２０は、インターネットアクセスのための設定を行い（Ｈ−３）、外部装置１０へ「継続データ要求」、「ＵＲＬ情報設定応答（ＯＫ）」又は「ＵＲＬ情報設定応答（ＮＧ）」を返信する。そして、「ＵＲＬ送信コマンド」（Ｈ−４）を契機に移動機２０はインターネットアクセスを行う（Ｈ−５）。
上記「ＵＲＬ情報設定要求」は、前述の図７の信号フォーマットで送受信される。この「ＵＲＬ情報設定要求」の信号フォーマットは、メッセージ識別情報のブロックと、複数のブロックからなる付加情報のブロックとにより構成されている。メッセージ種別情報ブロックには「ＵＲＬ情報設定要求」に対応する識別情報が入る。付加情報ブロックには、継続フラグ、データ長、ＵＲＬ、チェックサム等の情報が入る。
上記「継続データ要求」、「ＵＲＬ情報設定応答（ＯＫ）」及び「ＵＲＬ情報設定応答（ＮＧ）」は、前述の図６の信号フォーマットで送受信される。同図に示すメッセージ種別情報のブロックには、「継続データ要求」、「ＵＲＬ情報設定応答（ＯＫ）」又は「ＵＲＬ情報設定応答（ＮＧ）」に対応する識別情報が入る。
上記「ＵＲＬ送信コマンド」は、前述の図６の信号フォーマットで送受信される。同図に示すメッセージ種別情報のブロックには「ＵＲＬ送信コマンド」に対応する識別情報が入る。
【００４３】
ここで、移動機２０に入力済みのＵＲＬがあった場合は上書きされる。また、上記「ＵＲＬ送信コマンド」の応答は、移動機２０のアクセス成功、またはエラー検出時を契機に行われる。
また、移動機２０は、次の（ａ）及び（ｂ）に示すような処理も行う。
（ａ）上記「ＵＲＬ送信コマンド」の直前に「ＵＲＬ情報設定要求」がない場合、「ＵＲＬ送信コマンド」に対して、後述の「インターネットアクセス応答（ＮＧ）」を返信する。
（ｂ）上記「ＵＲＬ情報設定要求」によるＵＲＬの設定でエラーが発生した場合、「ＵＲＬ情報設定応答（ＮＧ）」を返信し、入力されたＵＲＬ情報を破棄する。
【００４４】
（２）移動機２０は、上記「ＵＲＬ送信コマンド」に基づいてインターネットアクセス処理を行った後、移動体通信網からの「アクセス結果」の情報をもとに、「インターネットアクセス応答（ＯＫ）」又は「インターネットアクセス応答（ＮＧ）」を外部装置１０に送信する（Ｈ−６〜Ｈ−８）。
上記「インターネットアクセス応答（ＯＫ）」及び「インターネットアクセス応答（ＮＧ）」は、前述の図６の信号フォーマットで送受信される。同図に示すメッセージ情報種別のブロックには、「インターネットアクセス応答（ＯＫ）」又は「インターネットアクセス応答（ＮＧ）」に対応する識別情報が入る。外部装置１０は、移動機２０から受信した受信信号のメッセージ種別情報ブロックの内容を確認することにより、インターネットアクセスが成功したか否かを認識する。
【００４５】
〔メール出力モード〕
図３０は「メール出力モード」の処理のフローチャートであり、図３１は同処理のシーケンス図である。メール出力は、このメール出力モード中にのみ行われる。
（１）移動機２０は、「メール出力モード開始要求／応答」を送受信するにより、キーエミュレートモード又はメール取得モードからメール出力モードに遷移する（Ｉ−１，Ｉ−１０，Ｉ−２，Ｉ−３）。
上記「メール出力モード開始要求」、「メール出力モード開始応答（ＯＫ）」及び「メール出力モード開始応答（ＮＧ）」は、前述の図６の信号フォーマットで送受信される。同図に示すメッセージ情報種別のブロックには、「メール出力モード開始要求」、「メール出力モード開始応答（ＯＫ）」又は「メール出力モード開始応答（ＮＧ）」に対応する識別情報が入る。
【００４６】
ここで、移動機２０はオフラインモードの場合、上記「メール出力モード開始要求」に対して「メール出力モード開始応答（ＮＧ）」を返信し、モードの遷移は行わない。
また、移動機２０はメール機能がＯＦＦ設定されている場合、上記「メール出力モード開始要求」に対して「メール出力モード開始応答（ＮＧ）」を返信し、モードの遷移は行わない。
【００４７】
（２）移動機２０はメールを受信したとき（Ｉ−４）にメール毎にメール番号を割り付け、受信メールの情報（送信元や本文など）を設定した「メール出力」を外部装置１０に送信する（Ｉ−５）。なお、メール出力モード中に受信したメールは全て出力する。
【００４８】
上記「メール出力」は、図３２の信号フォーマットで送受信される。この「メール出力」の信号フォーマットは、メッセージ識別情報のブロックと、４つのブロックからなる付加情報のブロックとにより構成されている。メッセージ種別情報ブロックには「メール出力」に対応する識別情報が入る。第１付加情報ブロックは継続フラグブロックであり、継続あり又は継続なしを表す識別情報が入る。また、第２付加情報ブロックはデータ長ブロックであり、データ長ブロックの直後からチェックサムブロックの直前までのデータ長（例えばバイト長）を表す情報が入る。また、第３付加情報ブロックは受信メール情報ブロックであり、次の（ａ）〜（ｈ）を表す情報が入る。また、第４付加情報ブロックはチェックサムが入るブロックである。
〔受信メール情報〕
（ａ）メール番号：移動機で割り付けられたメールの識別用番号
（ｂ）ＦＲＯＭ種別：携帯電話番号/E-mail/サーバ/サービスセンタ等の種別
（ｃ）タイムスタンプ
（ｄ）ＦＲＯＭデータ長
（ｅ）ＦＲＯＭ：メールの差出元
（ｆ）ＤＣＳ：文字コードを表すＤＣＳ値
（ｇ）本文データ長
（ｈ）本文：メール本文
【００４９】
ここで、移動機２０は、次の（ａ）〜（ｆ）に示すような処理も行う。
（ａ）連結受信中のメール、その他特定のメールの場合は、対象外とし、メール番号の採番も行わない。
（ｂ）移動機２０からのメール出力と外部装置１０からの「メール出力モード終了要求」が入れ違った場合、「メール出力モード終了要求」によるモードの遷移を優先する。
（ｃ）外部装置１０に対して出力したことによってメールの既読／未読の表示を変更しない。
（ｄ）メールの出力状態（送信済み／未送信）をメール単位に管理する。
（ｅ）外部装置１０側からメール出力応答（ＯＫ）を受信したときに送信済みとする。
（ｆ）メールの出力状態は通常モードに遷移したときにクリアされ、キーエミュレートモードに突入した時点では全て未送信の状態とする。
【００５０】
（３）外部装置１０は、移動機２０から「メール出力」を受信する（Ｉ−６）と、「継続データ要求」又は「メール出力応答（ＯＫ）」を返信し、受信したメール情報をディスプレイ等に出力したり、メモリー等のデータ記憶手段に保存したりする。
上記「継続データ要求」及び「メール出力応答（ＯＫ）」は、前述の図６の信号フォーマットで送受信される。同図に示すメッセージ種別情報のブロックには「継続データ要求」又は「メール出力応答（ＯＫ）」に対応する識別情報が入る。
【００５１】
（４）メール出力モードからはキーエミュレートモードおよびメール取得モードに遷移が可能である。「メール出力モード終了要求／応答」の送受信（Ｉ−７）によりキーエミュレートモードに遷移する。また、「メール取得モード開始要求／応答」の送受信（Ｉ−９）によりメール取得モードに遷移する（Ｉ−８）。
上記「メール出力モード終了要求」、「メール出力モード終了応答（ＯＫ）」及び「メール出力モード終了応答（ＮＧ）」は、前述の図６の信号フォーマットで送受信される。同図に示すメッセージ情報種別のブロックには、「メール出力モード終了要求」、「メール出力モード終了応答（ＯＫ）」又は「メール出力モード終了応答（ＮＧ）」に対応する識別情報が入る。
同様に、上記「メール取得モード開始要求」、「メール取得モード開始応答（ＯＫ）」及び「メール取得モード開始応答（ＮＧ）」は、前述の図６の信号フォーマットで送受信される。同図に示すメッセージ情報種別のブロックには、「メール取得モード開始要求」、「メール取得モード開始応答（ＯＫ）」又は「メール取得モード開始応答（ＮＧ）」に対応する識別情報が入る。
【００５２】
〔メール取得モード〕
図３３は「メール取得モード」の処理のフローチャートであり、図３４は同処理のシーケンス図である。メール取得は、このメール取得モード中にのみ行われる。
（１）移動機２０は、「メール取得モード開始要求／応答」を送受信するにより、キーエミュレートモード又はメール出力モードからメール取得モードに遷移する（Ｊ−１〜Ｊ−３）。
上記「メール取得モード開始要求」、「メール取得モード開始応答（ＯＫ）」及び「メール取得モード開始応答（ＮＧ）」は、前述の図６の信号フォーマットで送受信される。同図に示すメッセージ情報種別のブロックには、「メール取得モード開始要求」、「メール取得モード開始応答（ＯＫ）」又は「メール取得モード開始応答（ＮＧ）」に対応する識別情報が入る。
【００５３】
ここで、移動機２０はメール機能がＯＦＦ設定されている場合、上記「スカイメール取得モード開始要求」に対して「メール取得モード開始応答（ＮＧ）」を返信し、モードの遷移は行わない。
【００５４】
（２）外部装置１０は、移動機が受信したメールの一覧を要求するために、「メール一覧要求」に取得したいメールの条件を設定（受信日時、メール番号やメールのステータス）して送信し（Ｊ−４）、移動機２０から「一覧応答」を受信してメールの一覧情報を取得する（Ｊ−５，Ｊ−６）。
【００５５】
上記「メール一覧要求」は、図３５の信号フォーマットで送受信される。この「メール一覧要求」の信号フォーマットは、メッセージ識別情報のブロックと、一覧要求パラメータが入る５つのブロックからなる付加情報のブロックとにより構成されている。メッセージ種別情報ブロックには「メール一覧要求」に対応する識別情報が入る。第１付加情報ブロックは期間ＦＲＯＭブロックであり、第２付加情報ブロックは期間ＴＯブロックである。また、第３付加情報ブロックはステータスブロックであり、外部装置１０への送信済み／未送信、既読／未読等のステータスを表す情報が入る。また、第４付加情報はメール番号ブロックであり、取得するメールのメール番号が入る。ここで、取得件数が複数の場合は、このメール番号以降のメールを取得する。また、第５付加情報は要求件数ブロックであり、取得するメールの件数が入る。
上記５つの一覧要求パラメータ（期間ＦＲＯＭ、期間ＴＯ、ステータス、メール番号、要求件数）は同時指定可能である。また、期間ＦＲＯＭと期間ＴＯは同時指定のみ可である。
【００５６】
表２は、上記「メール一覧要求」の条件設定パターンを例示したものである。
【表２】
2005033776.tif 000004
【００５７】
上記「メール一覧応答（ＯＫ）」は、図３６の信号フォーマットで送受信される。この「メール一覧応答（ＯＫ）」の信号フォーマットは、メッセージ識別情報のブロックと、４つのブロックからなる付加情報のブロックとにより構成されている。メッセージ種別情報ブロックには「メール一覧応答（ＯＫ）」に対応する識別情報が入る。第１付加情報ブロックは継続フラグブロックであり、継続あり又は継続なしを表す情報が入る。また、第２付加情報ブロックはデータ長ブロックであり、データ長ブロックの直後からチェックサムブロックの直前までのデータ長（例えばバイト長）を表す情報が入る。また、第３付加情報ブロックは一覧情報ブロックであり、一覧件数の情報と、次の（ａ）〜（ｈ）を表すメールデータ情報とが入る。ここでメール件数が複数の場合は、そのメールの件数分だけ次の（ａ）〜（ｈ）を表すメールデータ情報が入る。また、第４付加情報はチェックサムブロックである。
〔一覧情報中のメールデータ情報〕
（ａ）メール番号
（ｂ）ＦＲＯＭ種別：携帯電話番号/E-mail/サーバ/サービスセンタ等の種別
（ｃ）ステータス：外部装置へ送信済み／未送信、既読／未読
（ｄ）タイムスタンプ
（ｅ）ＦＲＯＭデータ長
（ｆ）ＦＲＯＭ：メールの差出元
（ｇ）ＤＣＳ：文字コードを表すＤＣＳ値
（ｈ）本文見出し：メール本文の先頭２０バイト
【００５８】
（３）上記「一覧応答」を受信した外部装置１０は、「継続データ要求」又は「応答終了」を移動機２０に返信する。
上記「継続データ要求」及び「応答終了」は、前述の図６の信号フォーマットで送受信される。同図に示すメッセージ情報種別のブロックには、「継続データ要求」又は「応答終了」に対応する識別情報が入る。
【００５９】
（４）外部装置１０は「メール取得要求」に取得したいメールのメール番号及びタイムスタンプを設定して送信し（Ｊ−７）、「メール取得応答（ＯＫ）」を受信してメールの情報を取得する（Ｊ−８）。
上記「メール取得要求」は、図３７の信号フォーマットで送受信される。この「メール取得応答」の信号フォーマットは、メッセージ識別情報のブロックと、２つのブロックからなる付加情報のブロックとにより構成されている。メッセージ情報種別のブロックには「メール取得要求」に対応する識別情報が入る。第１付加情報ブロックはメール番号ブロックであり、取得対象のメールのメール番号を表す情報が入る。また、第２付加情報ブロックはタイムスタンプブロックである。
上記「メール取得応答（ＯＫ）」は、図３８の信号フォーマットで送受信される。この「メール取得応答」の信号フォーマットは、メッセージ識別情報のブロックと、４つのブロックからなる付加情報のブロックとにより構成されている。メッセージ種別情報ブロックには「メール取得応答（ＯＫ）」に対応する識別情報が入る。第１付加情報ブロックは継続フラグブロックであり、継続あり又は継続なしを表す識別情報が入る。また、第２付加情報ブロックはデータ長ブロックであり、データ長ブロックの直後からチェックサムブロックの直前までのデータ長（例えばバイト長）を表す情報が入る。また、第３付加情報ブロックはメール情報ブロックであり、次の（ａ）〜（ｆ）を表す取得メールの情報が入る。また、第４付加情報ブロックはチェックサムが入るブロックである。
〔取得メール情報〕
（ａ）メール番号：移動機で割り付けられたスカイメールの識別用番号
（ｂ）ＦＲＯＭ種別：携帯電話番号/E-mail/サーバ/サービスセンタ等の種別
（ｃ）タイムスタンプ
（ｄ）ＦＲＯＭ：メールの差出元
（ｅ）ＤＣＳ（Data Coding Scheme）：メールの文字コードセット
（ｆ）本文：メール本文
【００６０】
ここで、移動機２０は、次の（ａ）〜（ｅ）に示すような処理も行う。
（ａ）定型文は移動機２０で展開して文章の形で本文に設定する。
（ｂ）外部装置１０がメールを取得したことによって既読／未読の表示を変更しない。
（ｃ）メールの出力状態（送信済み／未送信）をメール単位に管理する。
（ｄ）外部装置１０へメール取得応答（OK）を最後まで正常に送信したときに送信済みとする。
（ｅ）メールの出力状態は通常モードに遷移したときにクリアされ、キーエミュレートモードに突入した時点では全て未送信の状態とする。
【００６１】
（５）移動機２０は、「メール取得モード終了要求／応答」の送受信により、メール取得モードからキーエミュレートモードに遷移する（Ｊ−９，Ｊ−１０，Ｊ−１）。また、「メール出力モード開始要求／応答」の送受信（Ｊ−９）によりメール出力モードに遷移する（Ｊ−９，Ｊ−１０，Ｊ−１）。
上記「メール取得モード終了要求」、「メール取得モード終了応答」、「メール出力モード開始要求」及び「メール出力モード開始応答」は、前述の図６の信号フォーマットで送受信される。同図に示すメッセージ種別情報のブロックには「メール取得モード終了要求」、「メール取得モード終了応答」、「メール出力モード開始要求」又は「メール出力モード開始応答」に対応する識別情報が入る。
【００６２】
〔掲示板書き込み機能〕
図３９は、キーエミュレートモードにおいて、外部装置１０から移動機２０内部の掲示板データへの書き込みを行う「掲示板書き込み機能」を実行する処理のシーケンス図である。
キーエミュレートモードに遷移している状態で外部装置１０から掲示板データなどを含んだ「掲示板書き込み要求」を受信した場合、移動機２０は、インターネットアクセスのための設定を行い、外部装置１０へ「継続データ要求」、「掲示板書き込み応答（ＯＫ）」又は「掲示板書き込み応答（ＮＧ）」を返信する。
【００６３】
上記「掲示板書き込み要求」は、図４０の信号フォーマットで送受信される。この「掲示板書き込み要求」の信号フォーマットは、メッセージ識別情報のブロックと、４つのブロックからなる付加情報のブロックとにより構成されている。メッセージ種別情報ブロックには「掲示板書き込み要求」に対応する識別情報が入る。第１付加情報ブロックは継続フラグブロックであり、継続あり又は継続なしを表す識別情報が入る。また、第２付加情報ブロックはデータ長ブロックであり、データ長ブロックの直後からチェックサムブロックの直前までのデータ長（例えばバイト長）を表す情報が入る。また、第３付加情報ブロックは掲示板データブロックであり、文字コードを表すＤＣＳ値、掲示板データ長、掲示板データを表す情報が入る。また、第４付加情報ブロックはチェックサムが入るブロックである。
【００６４】
上記「継続データ要求」、「掲示板書き込み応答（ＯＫ）」及び「掲示板書き込み応答（ＮＧ）」は、前述の図６の信号フォーマットで送受信される。同図に示すメッセージ種別情報のブロックには、「継続データ要求」、「掲示板書き込み応答（ＯＫ）」又は「掲示板書き込み応答（ＮＧ）」に対応する識別情報が入る。
【００６５】
また、移動機２０は、次の（ａ）〜（ｅ）に示すような処理も行う。
（ａ）移動機２０の掲示板設定が位置情報になっている場合は「掲示板書き込み要求」に対し、「掲示板書き込み応答（ＮＧ）」を返して要求を拒否する。
（ｂ）移動機２０の掲示板の設定がＯＦＦの場合は「掲示板書き込み要求」に対し、「掲示板書き込み応答（ＮＧ）」を返して要求を拒否する。
（ｃ）移動機２０のメール機能の設定がＯＦＦの場合は「掲示板書き込み要求」に対し、「掲示板書き込み応答（ＮＧ）」を返して要求を拒否する。
（ｄ）「掲示板書き込み要求」で指定されたＤＣＳ（Data Coding Scheme）と掲示板データとの整合性をチェックする。
（ｅ）「掲示板書き込み要求」による掲示板データ書き込みでエラーが発生した場合、「掲示板書き込み応答（ＮＧ）」を返信し、書き込み掲示板データを破棄する。
【００６６】
〔メールのメール番号〕
前述のように、移動機２０は受信したメールに対してメール番号を割り付ける。このメール番号を用いて外部装置１０から特定のメールを指定することができる。
【００６７】
〔待受状態確認処理〕
図４１は待受状態確認処理のフローチャートであり、図４２は同処理のシーケンス図である。
外部装置１０は移動機２０の状態を確認するために「状態確認要求」を送信する（Ｋ−２）。移動機２０は、待受状態の場合は「待受状態（１）」、待受状態でない場合は「非待受状態（０）」を状態確認結果に設定して「状態確認応答」を外部装置１０に返信する（Ｋ−３）。外部装置１０は、移動機２０から「状態確認応答」を受信することにより、移動機２０の待受状態を認識することができる。
なお、ここでいう「待受状態」とはキーエミュレートモード中の初期画面のことであり、通常モードでの待受状態のことではない。待受状態となる初期画面については移動機の機種ごとに異なる場合がある。キーエミュレートモード中の待受状態として複数の画面がある場合、それらの画面では全てのキー押下による動作が同一となる。
【００６８】
〔電池残量低下時（電池電圧低下時）の処理〕
図４３は電池残量低下時（電池電圧低下時）の処理のフローチャートであり、図４４は同処理のシーケンス図である。
移動機２０は、キーエミュレートモード（Ｌ−１）中に電池電圧低下（電池残量表示１本程度）を検出した場合に（Ｌ−２）、「警告通知(電池電圧低下)」を送信する（Ｌ−３）。外部装置１０は、移動機２０から「警告通知(電池電圧低下)」を受信することにより、移動機２０の電池残量が低下していることを認識することができる。
なお、警告通知は自律メッセージなので、信号の送受信中は応答信号として「警告通知(電池電圧低下)」を送出しない。送受信完了後に「警告通知(電池電圧低下)」を送信する。
また、警告通知はキーエミュレートモード突入シーケンス中に送信しない。キーエミュレートモード突入シーケンス中に電池電圧低下を検出した場合は、キーエミュレートモード突入シーケンス後に「警告通知(電池電圧低下)を送信する。
【００６９】
〔低電圧時の処理〕
図４５は低電圧時の処理のシーケンス図である。
移動機２０は、キーエミュレートモード中に低電圧（移動機２０の動作電圧のボーダーライン）を検出した場合に、「異常強制終了(低電圧)」を外部装置１０に送信し、通常モードに遷移する。異常強制終了(低電圧)は、いつでも送信可能である。ただし、キーエミュレートモード突入シーケンス中の場合は、「製造番号読出応答」送出時を最初の契機とする。
【００７０】
〔キーエミュレートモード終了処理〕
図４６は、キーエミュレートモード終了処理のフローチャートであり、図４７は同処理のシーケンス図である。
キーエミュレートモード中に、外部装置１０から「キーエミュレート終了要求」を送信（Ｍ−２）し、移動機２０から「キーエミュレート終了応答（ＯＫ）」を送信（Ｍ−２）することによって、キーエミュレートモードを終了し通常モードへ遷移する（Ｍ−３）。
上記「キーエミュレート終了要求」及び「キーエミュレート終了応答（ＯＫ）」は、前述の図６の信号フォーマットで送受信される。同図に示すメッセージ種別情報ブロックには、「キーエミュレート終了要求」又は「キーエミュレート終了応答（ＯＫ）」に対応するメッセージ識別情報が入る。移動機２０は、外部装置１０から受信した受信信号のメッセージ種別情報ブロックの内容を確認することにより、当該受信信号が「キーエミュレート終了要求」であることを認識し、「キーエミュレート終了応答（ＯＫ）」を外部装置を送信する。
【００７１】
なお、上記実施形態では、外部装置１０と移動機２０との間の通信としてシリアルインターフェースケーブルによる有線のシリアル通信を採用した場合について説明したが、Bluetooth（登録商標）等の近距離無線通信や赤外線通信などの無線通信を採用してもよい。また、通信方式も、シリアル通信に限定されるものではなく、本発明は、パラレル通信などの他の通信方式を採用した場合にも同様に適用できるものである。
【図面の簡単な説明】
【００７２】
【図１】本発明の実施形態に係る移動機操作システムを構成する移動機及び外部装置の機能ブロック図。
【図２】実施形態に係る移動機と外部装置とをインターフェースケーブルを接続して構成した移動機操作システムを含む通信システム全体の説明図。
【図３】移動機の外観図。
【図４】移動機のハードウェア構成の一例を示す概略構成図。
【図５】外部装置のハードウェア構成の一例を示す概略構成図。
【図６】移動機と外部装置との間で送受信されるシリアル信号の信号フォーマットの説明図。
【図７】他の信号フォーマットの説明図。
【図８】本実施形態の移動機における複数の動作モード間の遷移とキーエミュレートモードで動作させることができる機能の説明図。
【図９】移動機の動作モードを通常モードからキーエミュレートモードへ遷移させる処理のフローチャート。
【図１０】同キーエミュレートモードへの遷移処理のシーケンス図。
【図１１】キーエミュレートモードへの遷移処理において移動機及び外部装置の各ディスプレイに表示されるメッセージを例示したシーケンス図。
【図１２】図１１のシーケンスに続いて実行される処理のシーケンス図。
【図１３】キーエミュレートモードにおいて「キーエミュレート機能」を実行する処理のフローチャート。
【図１４】同処理のシーケンス図。
【図１５】同処理で送受信する「キー入力要求」の信号フォーマットの説明図。
【図１６】キーエミュレートモードにおける「暗証番号要求」の場合のフローチャート。
【図１７】同処理のシーケンス図。
【図１８】「テキスト入力モード」の処理のフローチャート。
【図１９】同処理のシーケンス図。
【図２０】同処理で送受信する「テキスト入力要求」の信号フォーマットの説明図。
【図２１】キーエミュレートモードにおいて「メール作成ショートカット機能」を実行する処理のフローチャート。
【図２２】同処理のシーケンス図。
【図２３】同処理で送受信する「メール作成ショートカット要求」の信号フォーマットの説明図。
【図２４】キーエミュレートモードにおいて「Ｗｅｂショートカット機能」を実行する処理のフローチャート。
【図２５】同処理のシーケンス図。
【図２６】キーエミュレートモードにおいて「メール送信機能」を実行する処理のフローチャート。
【図２７】同処理のシーケンス図。
【図２８】キーエミュレートモードにおいて「インターネットアクセス（ＵＲＬ）機能」を実行する処理のフローチャート。
【図２９】同処理のシーケンス図。
【図３０】「メール出力モード」の処理のフローチャート。
【図３１】同処理のシーケンス図。
【図３２】同処理で送受信する「メール出力」の信号フォーマットの説明図。
【図３３】「メール取得モード」の処理のフローチャート。
【図３４】同処理のシーケンス図。
【図３５】同処理で送受信する「メール一覧要求」の信号フォーマットの説明図。
【図３６】同処理で送受信する「メール一覧応答（ＯＫ）」の信号フォーマットの説明図。
【図３７】同処理で送受信する「メール取得要求」の信号フォーマットの説明図。
【図３８】同処理で送受信する「メール取得応答（ＯＫ）」の信号フォーマットの説明図。
【図３９】「掲示板書き込み機能」を実行する処理のシーケンス図。
【図４０】同処理で送受信する「掲示板書き込み要求」の信号フォーマットの説明図。
【図４１】待受状態確認処理のフローチャート。
【図４２】同処理のシーケンス図。
【図４３】電池残量低下時（電池電圧低下時）の処理のフローチャート。
【図４４】同処理のシーケンス図。
【図４５】低電圧時の処理のシーケンス図。
【図４６】キーエミュレートモード終了処理のフローチャート。
【図４７】同処理のシーケンス図。
【符号の説明】
【００７３】
１０    外部装置
１１    インターフェースケーブル
２０    移動機
４０    移動体通信網
【図１】
2005033776.tif 000005
【図２】
2005033776.tif 000006
【図３】
2005033776.tif 000007
【図４】
2005033776.tif 000008
【図５】
2005033776.tif 000009
【図６】
2005033776.tif 000010
【図７】
2005033776.tif 000011
【図８】
2005033776.tif 000012
【図９】
2005033776.tif 000013
【図１０】
2005033776.tif 000014
【図１１】
2005033776.tif 000015
【図１２】
2005033776.tif 000016
【図１３】
2005033776.tif 000017
【図１４】
2005033776.tif 000018
【図１５】
2005033776.tif 000019
【図１６】
2005033776.tif 000020
【図１７】
2005033776.tif 000021
【図１８】
2005033776.tif 000022
【図１９】
2005033776.tif 000023
【図２０】
2005033776.tif 000024
【図２１】
2005033776.tif 000025
【図２２】
2005033776.tif 000026
【図２３】
2005033776.tif 000027
【図２４】
2005033776.tif 000028
【図２５】
2005033776.tif 000029
【図２６】
2005033776.tif 000030
【図２７】
2005033776.tif 000031
【図２８】
2005033776.tif 000032
【図２９】
2005033776.tif 000033
【図３０】
2005033776.tif 000034
【図３１】
2005033776.tif 000035
【図３２】
2005033776.tif 000036
【図３３】
2005033776.tif 000037
【図３４】
2005033776.tif 000038
【図３５】
2005033776.tif 000039
【図３６】
2005033776.tif 000040
【図３７】
2005033776.tif 000041
【図３８】
2005033776.tif 000042
【図３９】
2005033776.tif 000043
【図４０】
2005033776.tif 000044
【図４１】
2005033776.tif 000045
【図４２】
2005033776.tif 000046
【図４３】
2005033776.tif 000047
【図４４】
2005033776.tif 000048
【図４５】
2005033776.tif 000049
【図４６】
2005033776.tif 000050
【図４７】
2005033776.tif 000051